(57)【要約】ヒンジ機構とともに上顎シェル（４）と下顎シェル（６）の間に増減された厚さを有する歯科器具（２）ならびに不正咬合を治療するシステムおよび方法を提供する。歯科器具は、ユーザの上歯と下歯をそれぞれ収容する上顎シェルと下顎シェルとを有する。上顎シェルと下顎シェルは、ヒンジ（１０）で取り付けられる。歯科器具は、ヒンジの増加した厚さと同様に、上顎シェルと下顎シェルとの間に増加した厚さを有する。一実施形態では、歯科器具は、減少した縦厚さと挿入可能なヒンジ機構を有する。歯科器具は、不正咬合の治療をユーザの奥歯まで拡大し、例えば、オーバーバイト、オーバージェット、離間咬合、叢生、捻転、離間、交差咬合、ガミースマイルや側頭下顎骨接合問題などの歯の状態を矯正することができる。
2006513738.tif 000002
【特許請求の範囲】
【請求項１】
その１つのタイプが大臼歯である１以上のタイプの歯を有するユーザの口腔内に装着される歯科器具であって、前記大臼歯は前記ユーザの口腔内の最も奥に位置し、
前記歯科器具は、第１の端部と第２の端部との間で画定される厚さを有するとともに、咬合面を有する一般にＵ字形状の基部を備え、
前記大臼歯が不正咬合位置に達するのを防止するために前記基部を装着したとき、前記咬合面は、前記ユーザの各大臼歯に接触することを特徴とする歯科器具。
【請求項２】
前記基部を固定することができ、前記基部に連結されるヒンジをさらに備える請求項１に記載の歯科器具。
【請求項３】
前記基部は半透明である請求項１に記載の歯科器具。
【請求項４】
前記咬合面は平らである請求項１に記載の歯科器具。
【請求項５】
前記基部から延伸するフックをさらに備える請求項１に記載の歯科器具。
【請求項６】
前記基部内に埋め込まれたワイヤをさらに備える請求項１に記載の歯科器具。
【請求項７】
前記基部は、第１の材料と第２の材料から構成され、該第１の材料は、該第２の材料よりも小さい硬度を有する請求項１に記載の歯科器具。
【請求項８】
上歯を有する上顎アーチと、下歯を有する下顎アーチと、舌とを備えるユーザの口腔内に装着される歯科器具であって、
装着されると、前記ユーザの上歯に接触する一般にＵ字形状の上顎基部と、
装着されると、前記ユーザの下歯に接触し、前記上顎基部に隣接して設けられる一般にＵ字形状の下顎基部とを備え、
前記上顎基部および前記下顎基部は、凹部を有する内部表面を画定し、該凹部は、前記舌が休止位置にあるとき、前記ユーザの前記舌が前記下顎アーチに接触するのを防止する壁部を有することを特徴とする歯科器具。
【請求項９】
前記上顎基部および前記下顎基部内に複数の穴をさらに備え、前記ユーザは、前記穴を通して呼吸する請求項８に記載の歯科器具。
【請求項１０】
前記下顎基部から前記口腔内の後部に延伸する舌タブをさらに備える請求項８に記載の歯科器具。
【請求項１１】
前記上顎基部内に設けられ、前記ユーザの少なくとも２本以上の歯に適合する大きさの１以上のソケットをさらに備える請求項８に記載の歯科器具。
【請求項１２】
前記上顎基部内に形成され、前記歯を矯正位置に案内するリブをさらに備える請求項８に記載の歯科器具。
【請求項１３】
前記上顎基部は、水分吸収材料から構成される請求項８に記載の歯科器具。
【請求項１４】
その１つのタイプが大臼歯である１以上のタイプの歯から構成される上歯と下歯を有するユーザの口腔内に装着される歯科器具であって、前記大臼歯は前記ユーザの口腔内の最も奥に位置し、前記歯科器具は、
前記上歯に接触するとともに、前記上歯を矯正位置に案内する上顎咬合面を有する一般にＵ字形状の上顎基部と、
前記下歯に接触するとともに、前記下歯を矯正位置に案内する下顎咬合面を有し、前記上顎基部に連結される一般にＵ字形状の下顎基部とを備え、
前記上顎咬合面および前記下顎咬合面は互いに隣接するとともに、組み合わせた厚さを有し、前記大臼歯が不正咬合位置に達するのを防止するために前記上顎基部および下顎基部を装着したとき、前記上顎咬合面は、前記ユーザの各大臼歯に接触することを特徴とする歯科器具。
【請求項１５】
前記上顎基部内に設けられ、四角形状の複数のソケットをさらに備える請求項１４に記載の歯科器具。
【請求項１６】
前記上顎基部は、前記口腔内にどのように配置されるかを前記ユーザに示すために印を付けられる請求項１４に記載の歯科器具。
【請求項１７】
前記上顎基部が前記下顎基部の方にピボットするのを可能にし、前記上顎基部と前記下顎基部とを連結するヒンジをさらに備える請求項１４に記載の歯科器具。
【請求項１８】
前記下顎基部は、前記上顎基部よりも幅が広い請求項１４に記載の歯科器具。
【請求項１９】
前記上顎基部から延伸し、前記口腔の前部に接触する保護部をさらに備える請求項１４に記載の歯科器具。
【請求項２０】
前記上顎基部内に設けられ、前記ユーザの歯の形状にカスタマイズされる複数のソケットをさらに備える請求項１４に記載の歯科器具。
【発明の詳細な説明】
【技術分野】
【０００１】
本発明は、上顎シェルと下顎シェルとの間の増加された厚さを有する歯科器具、不正咬合を治療するシステムおよび方法に関する。より詳細には、本発明は、ヒンジによって取り付けられる上顎シェルと下顎シェルとを有する歯科器具に関する。公知の歯科器具に比較して、上顎シェルと下顎シェルは、ヒンジと同様に、増加された厚さを有する。結果として、歯科器具は、例えば、オーバージェットやオーバーバイトなどの不正咬合を治療するために用いられ得る。
【背景技術】
【０００２】
患者へ歯科治療を提供することが一般に知られている。典型的には、患者は、例えば、医療機関のオフィスで、歯科医や他の医療機関を訪問する。患者を診察した歯科医は、患者の状態を治療するために歯科器具を患者に提供する。例えば、患者は、口腔内に設置される歯科器具を必要とするオーバーバイトであるかもしれない。
【０００３】
診察は、患者に提供される歯科器具の上顎シェルと下顎シェルのサイズや形状を決定する。上顎シェルと下顎シェルは、患者の上歯と下歯をそれぞれ収容する。上顎シェルと下顎シェルは、歯の状態を治療するために、患者の口腔内に装着される。ある場合には、上顎シェルと下顎シェルは、歯科器具の端部でヒンジにより連結される。ヒンジは、歯科器具を装着するとき、ユーザの口腔の奥の方に配置される。ヒンジは、歯科器具がユーザの口腔から滑り落ちるのを防止する。
【０００４】
しかしながら、ヒンジを用いるときと、上顎シェルと下顎シェルとを互いに永久に固定するときの両方で、歯科器具には多くの欠点が存在する。例えば、個人の顎は、ヒンジと類似の方法で開いたり閉じたりする。結果として、上顎シェルと下顎シェルとを固定するヒンジを利用する歯科器具は、歯科器具の後方部分において材料を十分に減らすことが必要となる。特に、歯科器具は、第１永久大臼歯と第２永久大臼歯を収容する部分の近くで縦に狭くなっている。歯科器具の後方部分の材料は、しばしば弱く、頬舌側へのあるいは歯科器具の内壁から外壁への十分な支持を提供するために、最後の歯を完全に覆うのに十分後方まで進めることができない。
【０００５】
後方部分において材料の弱さを改善するために、歯科器具の峡部の遠位部やヒンジ領域、特に、上顎シェルと下顎シェルがヒンジに固定される歯科器具の端部（装着されるとき、口腔の奥（後方）に最も近いところ）に特別な材料を追加している。しかしながら、特別な材料は、しばしば、もっとも奥の大臼歯の自由な最大萠出を妨げ、大臼歯が萠出するのを妨げ、ときには第３大臼歯を完全に覆っていない。結果として、例えば、患者のオーバーバイトがつぶれるか、前の段階に逆戻りし、あるいは、最初の場所に完全に矯正するのが困難となってします。
【０００６】
したがって、上顎シェルと下顎シェルがユーザの奥歯の不正咬合の治療を施す大きさであり、不正咬合を治療する歯科器具、システムおよび方法の必要性が存在する。
【発明の開示】
【０００７】
本発明は、上顎シェルと下顎シェルとの間の増加された厚さを有する歯科器具、不正咬合を治療するシステムおよび方法に関する。歯科器具は、ユーザの上歯と下歯をそれぞれ収容する上顎シェルと下顎シェルとを有する。上顎シェルと下顎シェルは、接触を維持している間分離することができるような方法で連結されている。さらに、上顎シェルと下顎シェルは、公知の歯科器具よりも大きいそれらの間の厚さを有する。また、上顎シェルと下顎シェルを連結する手段は、公知の歯科器具よりも大きい厚さである縦厚さの増加を必要とする。
【０００８】
後方部分の増加した厚さと同様に、上顎シェルと下顎シェルとの間の増加した厚さにより、ユーザの口腔内に歯科器具をさらに配置することができる。歯科器具は、ユーザの口腔の奥で大臼歯を治療することができる。さらに、上顎シェルと下顎シェルとの間の増加した厚さは、ユーザが口腔内に歯科器具を設置するとき、ユーザの口腔内の筋肉を刺激することができる。歯科器具の上顎シェルと下顎シェルとを連結するヒンジや他の手段は、後方部分の増加した厚さのために歯科器具全体を弾力的にするのを可能にする。結果として、上顎シェルと下顎シェルとを連結する手段は、ユーザの顎の反対側面の移動を制限することができる。
【０００９】
上記目的を達成するために、本発明の一実施形態では、歯科器具は、その１つのタイプが大臼歯である１以上のタイプの歯を有するユーザの口腔内に装着され、前記大臼歯は、前記ユーザの口腔内の最も奥に位置している。前記歯科器具は、第１の端部と第２の端部との間で画定される厚さを有するとともに、咬合面を有する一般にＵ字形状の基部を備え、
前記大臼歯が不正咬合位置に達するのを防止するために前記基部を装着したとき、前記咬合面は、前記ユーザの各大臼歯に接触することを特徴とする。
【００１０】
一実施形態では、前記歯科器具は、前記基部を固定することができ、前記基部に連結されるヒンジをさらに備える。
【００１１】
一実施形態では、前記基部は半透明である。
【００１２】
一実施形態では、前記咬合面は平らである。
【００１３】
一実施形態では、前記歯科器具は、前記基部から延伸するフックをさらに備える。
【００１４】
前記基部内に埋め込まれたワイヤをさらに備える請求項１に記載の歯科器具。
【００１５】
一実施形態では、前記基部は、第１の材料と第２の材料から構成され、該第１の材料は、該第２の材料よりも小さい硬度を有する。
【００１６】
本発明のもう一つの実施形態では、歯科器具は、上歯を有する上顎アーチと、下歯を有する下顎アーチと、舌とを備えるユーザの口腔内に装着される。前記歯科器具は、装着されると、前記ユーザの上歯に接触する一般にＵ字形状の上顎基部を有する。また、歯科器具は、装着されると、前記ユーザの下歯に接触し、前記上顎基部に隣接して設けられる一般にＵ字形状の下顎基部を有する。そして、前記上顎基部および前記下顎基部は、凹部を有する内部表面を画定し、該凹部は、前記舌が休止位置にあるとき、前記ユーザの前記舌が前記下顎アーチに接触するのを防止する壁部を有することを特徴とする。
【００１７】
一実施形態では、前記歯科器具は、前記上顎基部および前記下顎基部内に複数の穴をさらに備え、前記ユーザは、前記穴を通して呼吸する。
【００１８】
一実施形態では、前記歯科器具は、前記下顎基部から前記口腔内の後部に延伸する舌タブをさらに備える。
【００１９】
一実施形態では、前記歯科器具は、前記上顎基部内に設けられ、前記ユーザの少なくとも２本以上の歯に適合する大きさの１以上のソケットをさらに備える。
【００２０】
一実施形態では、前記歯科器具は、前記上顎基部内に形成され、前記歯を矯正位置に案内するリブをさらに備える。
【００２１】
一実施形態では、前記上顎基部は、水分吸収材料から構成される。
【００２２】
本発明の別の実施形態では、歯科器具は、その１つのタイプが大臼歯である１以上のタイプの歯から構成される上歯と下歯を有するユーザの口腔内に装着され、前記大臼歯は前記ユーザの口腔内の最も奥に位置している。前記歯科器具は、前記上歯に接触するとともに、前記上歯を矯正位置に案内する上顎咬合面を有する一般にＵ字形状の上顎基部を有する。また、前記歯科器具は、前記下歯に接触するとともに、前記下歯を矯正位置に案内する下顎咬合面を有し、前記上顎基部に連結される一般にＵ字形状の下顎基部を有する。前記上顎咬合面および前記下顎咬合面は、互いに隣接するとともに、組み合わせた厚さを有し、前記大臼歯が不正咬合位置に達するのを防止するために前記上顎基部および下顎基部を装着したとき、前記上顎咬合面は、前記ユーザの各大臼歯に接触することを特徴とする。
【００２３】
一実施形態では、前記歯科器具は、前記上顎基部内に設けられ、四角形状の複数のソケットをさらに備える。
【００２４】
一実施形態では、前記上顎基部は、前記口腔内にどのように配置されるかを前記ユーザに示すために印を付けられる。
【００２５】
一実施形態では、前記歯科器具は、前記上顎基部が前記下顎基部の方にピボットするのを可能にし、前記上顎基部と前記下顎基部とを連結するヒンジをさらに備える。
【００２６】
一実施形態では、前記下顎基部は、前記上顎基部よりも幅が広い。
【００２７】
一実施形態では、前記歯科器具は、前記上顎基部から延伸し、前記口腔の前部に接触する保護部をさらに備える。
【００２８】
一実施形態では、前記歯科器具は、前記上顎基部内に設けられ、前記ユーザの歯の形状にカスタマイズされる複数のソケットをさらに備える。
【００２９】
したがって、本発明の利点は、上顎シェルと下顎シェルの間の増加した厚さを有する歯科器具、不正咬合を治療するシステムおよび方法を提供することにある。
【００３０】
本発明のもう一つの利点は、ユーザの口腔内の奥歯の萠出を可能にする、上顎シェルと下顎シェルの間の増加した厚さを有する歯科器具、不正咬合を治療するシステムおよび方法を提供することにある。
【００３１】
本発明のさらに別の利点は、上顎シェルと下顎シェルとの接触を維持し、さらに上顎シェルと下顎シェルとの位置関係を維持する手段を提供する、上顎シェルと下顎シェルの間の増加した厚さを有する歯科器具、不正咬合を治療するシステムおよび方法を提供することにある。
【００３２】
本発明のまだ別の利点は、上顎および下顎の整列を可能にする、上顎シェルと下顎シェルの間の増加した厚さを有する歯科器具、不正咬合を治療するシステムおよび方法を提供することにある。
【００３３】
さらに、本発明の利点は、ユーザの口腔内のさらに後方に歯科器具を配置することができる、上顎シェルと下顎シェルの間の増加した厚さを有する歯科器具、不正咬合を治療するシステムおよび方法を提供することにある。
【００３４】
本発明のさらなる利点は、ユーザの下顎の横方向の移動を防止する、上顎シェルと下顎シェルの間の増加した厚さを有する歯科器具、不正咬合を治療するシステムおよび方法を提供することにある。
【００３５】
本発明のさらなる利点は、顎の前後方向のシフト（移動）を防止することができ、上顎に関して下顎の安定した前方位置を作り出す、上顎シェルと下顎シェルの間の増加した厚さを有する歯科器具、不正咬合を治療するシステムおよび方法を提供することにある。
【００３６】
本発明のさらなる利点は、脱落性生歯、混成生歯あるいは永久生歯の口腔の種々の領域に配置される２本以上の歯のための予め形成されたスロットと連結しあるいは連結されない、理想的な配置の形状とサイズの両方の統計手利き順位基づいて、種々のサイズの口腔用の予め形成されたソケットを可能にする、上顎シェルと下顎シェルの間の増加した厚さを有する歯科器具、不正咬合を治療するシステムおよび方法を提供することにある。
【００３７】
本発明のさらなる利点は、脱落性生歯が、およそ１．５ｍｍ〜２ｍｍである切縁のオーバージェットやオーバーバイト、およそ１〜１．５ｍｍの混成生歯のオーバージェットやオーバーバイト、あるいはおよそ０．５〜０ｍｍの大人のオーバージェットやオーバーバイトを持つような顎配置を有することができる、上顎シェルと下顎シェルの間の増加した厚さを有する歯科器具、不正咬合を治療するシステムおよび方法を提供することにある。
【００３８】
本発明のさらなる利点は、弾力的な透明の材料からなる器具を有することができる、上顎シェルと下顎シェルの間の増加した厚さを有する歯科器具、不正咬合を治療するシステムおよび方法を提供することにある。
【００３９】
本発明のさらなる利点は、水吸収性材料から部分的になる器具を有し、使用や協同のレベルを決定する非水吸収性材料と結合しあるいは結合しない、上顎シェルと下顎シェルの間の増加した厚さを有する歯科器具、不正咬合を治療するシステムおよび方法を提供することにある。
【００４０】
本発明のさらなる利点は、垂直なオーバーバイトを矯正し、前歯の下降と奥歯の萠出を作るために、奥よりも前に材料のより大きい垂直厚さを持つ器具を有することができる、上顎シェルと下顎シェルの間の増加した厚さを有する歯科器具、不正咬合を治療するシステムおよび方法を提供することにある。
【００４１】
本発明のさらなる利点は、前方の離間咬合を矯正し、奥歯の下降と前歯の萠出を作るために、奥よりも前に材料のより小さい垂直厚さを持つ器具を有することができる、上顎シェルと下顎シェルの間の増加した厚さを有する歯科器具、不正咬合を治療するシステムおよび方法を提供することにある。
【００４２】
本発明のさらなる利点は、上顎アーチの拡大を促進し、不十分なえん下や前方舌突出パターンえん下癖を防止するために、高い位置を想定する舌を促進するフランジの上顎舌領域に中空領域を有する、上顎シェルと下顎シェルの間の増加した厚さを有する歯科器具、不正咬合を治療するシステムおよび方法を提供することにある。
【００４３】
本発明のさらなる利点は、飲み込み中舌が前方に押されないことを気付かせるために、中線において下顎舌領域に突出物を有することができる、上顎シェルと下顎シェルの間の増加した厚さを有する歯科器具、不正咬合を治療するシステムおよび方法を提供することにある。
【００４４】
本発明のさらなる利点は、通常の飲み込み中舌を置くところを患者に気付かせるために、器具の上顎舌領域のわずかな下降や高さを有することができる、上顎シェルと下顎シェルの間の増加した厚さを有する歯科器具、不正咬合を治療するシステムおよび方法を提供することにある。
【００４５】
本発明のさらなる利点は、両側または片側の上顎舌交差咬合の矯正を助けるために、上顎後方セグメントの追加の拡大を提供することができる、上顎シェルと下顎シェルの間の増加した厚さを有する歯科器具、不正咬合を治療するシステムおよび方法を提供することにある。
【００４６】
本発明のさらなる利点は、下顎アーチの拡大によるはさみタイプの咬合を矯正するために、下顎後方セグメントの追加の拡大を提供することができる、上顎シェルと下顎シェルの間の増加した厚さを有する歯科器具、不正咬合を治療するシステムおよび方法を提供することにある。
【００４７】
本発明のさらなる利点は、口腔を通して呼吸しなければならない患者を助けるために、前分離線で穴を有することができる、上顎シェルと下顎シェルの間の増加した厚さを有する歯科器具、不正咬合を治療するシステムおよび方法を提供することにある。
【００４８】
本発明のさらなる利点は、奥歯の頬舌の移動に追加の力を与えるために、頬縁および舌縁の拡大と厚くすることを有することができる、上顎シェルと下顎シェルの間の増加した厚さを有する歯科器具、不正咬合を治療するシステムおよび方法を提供することにある。
【００４９】
本発明のさらなる利点は、オーバージェットを矯正する発育した位置に下顎を保持するよう中線の一方側の下方に延伸するか、あるいはアーチの唇側の舌位置から前方への下顎側部切歯の移動を間然するよう側方に延伸する下顎舌タブを提供することができる、上顎シェルと下顎シェルの間の増加した厚さを有する歯科器具、不正咬合を治療するシステムおよび方法を提供することにある。
【００５０】
本発明のさらなる利点は、クラスIIIタイプの（下顎突出）顎の関係を矯正するために、下顎を数ｍｍ（１〜５ｍｍ）後方に移動することによって、アーチの前後の調整を有することができる、上顎シェルと下顎シェルの間の増加した厚さを有する歯科器具、不正咬合を治療するシステムおよび方法を提供することにある。
【００５１】
本発明のさらなる利点は、種々の不正咬合の前歯の傾斜（回転）に関する種々の矯正のために、上顎前歯と下顎前歯に異なる角形成を有することができる、上顎シェルと下顎シェルの間の増加した厚さを有する歯科器具、不正咬合を治療するシステムおよび方法を提供することにある。
【００５２】
本発明のさらなる利点は、異なるサイズの歯の種々のサイズの２本の上顎小臼歯、２本の下顎小臼歯、および４本の小臼歯の抜歯用の器具を有することができる、上顎シェルと下顎シェルの間の増加した厚さを有する歯科器具、不正咬合を治療するシステムおよび方法を提供することにある。
【００５３】
本発明のさらなる利点は、存在する３本の下顎切歯のみで異なるサイズの器具を有することができる、上顎シェルと下顎シェルの間の増加した厚さを有する歯科器具、不正咬合を治療するシステムおよび方法を提供することにある。
【００５４】
本発明のさらなる利点は、２本の上顎小臼歯抜歯器具や、クラスIIIと同様の４本の小臼歯抜歯器具と２本の下顎小臼歯抜歯器具、拡大器具や上述のすべての器具と同様に、脱落性生歯器具において脱落性第２大臼歯を、混成生歯器具において第１永久大臼歯を、成人生歯器具において第２永久大臼歯を完全に覆うか、完全に覆うよりわずかさえさらに後方への延伸を持つ器具を有することができる、上顎シェルと下顎シェルの間の増加した厚さを有する歯科器具、不正咬合を治療するシステムおよび方法を提供することにある。
【００５５】
本発明のさらなる利点は、口を開けたときに器具が後方にずれるのをより確実に防止し、オーバージェットのより良い矯正を保持するために、また、下顎唇縁に拡張を加えるとき、上顎および下顎前歯の異常な萠出をよく抑制するために、上顎唇縁への上方延伸を有することができる、上顎シェルと下顎シェルの間の増加した厚さを有する歯科器具、不正咬合を治療するシステムおよび方法を提供することにある。
【００５６】
本発明のさらなる利点は、上歯や下歯に器具をよく保持するために、クランプを持つ器具を有することができる、上顎シェルと下顎シェルの間の増加した厚さを有する歯科器具、不正咬合を治療するシステムおよび方法を提供することにある。
【００５７】
本発明のさらなる利点は、ヘッドギア、バンパ、ゴムなどの予め形成された器具に他の器具を挿入するために、フックやチューブを有することができる、上顎シェルと下顎シェルの間の増加した厚さを有する歯科器具、不正咬合を治療するシステムおよび方法を提供することにある。
【００５８】
本発明のさらなる利点は、１以上の種々のサイズの歯を案内・矯正するために、個々のソケットだけではなく、一つのスロットを有することができる、上顎シェルと下顎シェルの間の増加した厚さを有する歯科器具、不正咬合を治療するシステムおよび方法を提供することにある。
【００５９】
本発明のさらなる利点は、咬頭および咬合面干渉を防止し、種々の咬合面の解剖学的構造を補正するために、奥歯に平坦な咬合面を有することができる、上顎シェルと下顎シェルの間の増加した厚さを有する歯科器具、不正咬合を治療するシステムおよび方法を提供することにある。
【００６０】
本発明のさらなる利点は、舌から歯を押す力によって奥歯を頬側や遠位に押すことを可能にするために、頬側の遠位に角のあるスロットがあってもなくても、歯の広げられた後方領域とともに、舌後方保護のほとんど完全な排除を有することができる、上顎シェルと下顎シェルの間の増加した厚さを有する歯科器具、不正咬合を治療するシステムおよび方法を提供することにある。
【００６１】
本発明のさらなる利点は、プラスチックや他の材料を開放位置にセットして、スリット開口を提供して器具を金属板で成形するために、開放位置に成形され得る、上顎シェルと下顎シェルの間の増加した厚さを有する歯科器具、不正咬合を治療するシステムおよび方法を提供することにある。冷却の前に、その器具は、開放位置のヒンジ領域を冷却してセットし、ヒンジ領域を再加熱させ、開放位置で冷却させることができる。
【００６２】
本発明のさらなる利点は、拡大を促進するための大きいソケットと大きいアーチと、叢生の矯正のために作られるべき空間とを有することができる、上顎シェルと下顎シェルの間の増加した厚さを有する歯科器具、不正咬合を治療するシステムおよび方法を提供することにある。
【００６３】
本発明のさらなる利点は、器具を成形するとき、フッ化スズやフッ化ナトリウムなどのフッ素化合物をプラスチックや他の材料の中に成型する方法を提供することができる、上顎シェルと下顎シェルの間の増加した厚さを有する歯科器具、不正咬合を治療するシステムおよび方法を提供することにある。
【００６４】
本発明のさらなる利点は、フッ化物液体を器具の内部に浸すためにフッ素化合物を器具に装填する方法を提供することができる、上顎シェルと下顎シェルの間の増加した厚さを有する歯科器具、不正咬合を治療するシステムおよび方法を提供することにある。患者に装着されると、フッ化物は、徐々に歯にしみ込ませるように侵出する。その代わりに、患者が器具を装着したとき、器具にジェルを配置してもよい。
【００６５】
本発明のさらなる利点は、患者が器具を装着したとき、器具に漂白ジェルを装填する方法を提供することができる、上顎シェルと下顎シェルの間の増加した厚さを有する歯科器具、不正咬合を治療するシステムおよび方法を提供することにある。その代わりに、器具を装着すると、ホワイトニングストリップを歯に挿入してもよく、これらの歯の唇面の反対に、該ストリップを器具に配置してもよい。
【００６６】
本発明のさらなる利点は、器具の外側の周りで頬側および唇側に配置されるワイヤを提供することができる、上顎シェルと下顎シェルの間の増加した厚さを有する歯科器具、不正咬合を治療するシステムおよび方法を提供することにある。該ワイヤは、器具に取り付けられてもよく、２以上のボール−ソケット取付具により器具にスナップされ、あるいは、器具上に結ばれてもよく、器具に成形されるチューブに引っかけられてもよい。ワイヤを伸縮すると、器具は、付属ワイヤの方向に歯を移動する。
【００６７】
本発明のさらなる利点は、アーチを伸縮するために曲げることができる器具の頬と唇と舌に埋め込みワイヤを成形することができる、上顎シェルと下顎シェルの間の増加した厚さを有する歯科器具、不正咬合を治療するシステムおよび方法を提供することにある。
【００６８】
本発明のさらなる利点は、正方形、テーパ、通常のアーチ形状などの種々のアーチ形状の器具を提供することができる、上顎シェルと下顎シェルの間の増加した厚さを有する歯科器具、不正咬合を治療するシステムおよび方法を提供することにある。
【００６９】
本発明のさらなる利点は、例えば、アジア人やアフリカ人血統の人の歯に固有の種々の人種の相違を適合させることを可能にするために、異なる切歯に種々の解剖学的変更を提供することができる、上顎シェルと下顎シェルの間の増加した厚さを有する歯科器具、不正咬合を治療するシステムおよび方法を提供することにある。アジア人の場合、垂直胴と呼ばれるシャベル形状の切歯構造を、上顎切歯が唇側にずれないように適合させるのを可能にするために、舌面の各側（正中と遠位）に拡大領域を提供する。アフリカ人血統の歯の場合、切歯のより正方形の構造を器具に組み込んでもよい。
【００７０】
本発明のさらなる利点は、すべての歯用の１つの予め形成されたスロットを有する器具を提供することができる、上顎シェルと下顎シェルの間の増加した厚さを有する歯科器具、不正咬合を治療するシステムおよび方法を提供することにある。その器具は、切歯の領域の唇下側に非常に狭く、上顎および下顎アーチの犬歯領域では、唇舌領域が特に、犬歯の中心点であって犬歯の唇上でわずかに広い。また、小臼歯領域や脱落性第１および第２大臼歯では、器具は広く、永久大臼歯の領域でも広い。器具は、脱落性、混成あるいは永久生歯のために１つのサイズまたはいくつかのサイズであってもよい。
【００７１】
本発明のさらなる利点は、診断プログラムの有無にかかわらず、機械により分配（販売）され得る器具を提供することができる、上顎シェルと下顎シェルの間の増加した厚さを有する歯科器具、不正咬合を治療するシステムおよび方法を提供することにある。
【００７２】
本発明のさらなる利点は、例えば、パッケージ、紙や類似の寸法の端であるいは定規によって、１本以上の前歯の一つの寸法で計測され得る種々のサイズの器具を提供することができる、上顎シェルと下顎シェルの間の増加した厚さを有する歯科器具、不正咬合を治療するシステムおよび方法を提供することにある。
【００７３】
本発明のさらなる利点は、切歯の端が、唇舌側で極めて薄く、また、器具により効率的に切歯のあらゆる幅が移動あるいは回転され得るような形状である、上顎シェルと下顎シェルの間の増加した厚さを有する歯科器具、不正咬合を治療するシステムおよび方法を提供することにある。ソケットは、よりよい歯の移動のために、半切縁部（上半分）において唇舌側に薄い。
【００７４】
本発明のさらなる利点は、器具が、脱落性、混成あるいは永久生歯の歯を収容するために、唇、頬、舌縁を持つ上下の凹地と、１本以上の歯の予め形成されたソケットやスロット間の峡部を持つ保護部とを有する、上顎シェルと下顎シェルの間の増加した厚さを有する歯科器具、不正咬合を治療するシステムおよび方法を提供することにある。各縁は、歯肉組織の一部を覆っても覆わなくてもよい。あらゆる形状の犬歯を収容するために、犬歯ソケットは鋭い。
【００７５】
本発明のさらなる利点は、歯科器具のソケットが、萠出中の歯を案内し、アーチに沿ってそれらを正中または遠位に移動するために、各歯の正中および遠位に隣接歯間リブを有する、上顎シェルと下顎シェルの間の増加した厚さを有する歯科器具、不正咬合を治療するシステムおよび方法を提供することにある。
【００７６】
本発明のさらなる利点は、歯科器具のソケットの唇舌厚さが、遠位よりも正中において広く、それにより、切歯を中線の方に移動するよう機能する、上顎シェルと下顎シェルの間の増加した厚さを有する歯科器具、不正咬合を治療するシステムおよび方法を提供することにある。
【００７７】
本発明のさらなる利点は、抜歯器具を提供することができる、上顎シェルと下顎シェルの間の増加した厚さを有する歯科器具、不正咬合を治療するシステムおよび方法を提供することにある。ここで、歯科器具の隣接歯間は、抜歯場所で、すなわち、犬歯と第２小臼歯ソケットの間で取り除かれる。一方、犬歯とその横の間および第２小臼歯と第１大人の大臼歯の間の隣接歯間は増加される。これらは、抜歯場所の閉鎖を助ける。
【００７８】
本発明のさらなる利点は、抜歯器具を提供することができる、上顎シェルと下顎シェルの間の増加した厚さを有する歯科器具、不正咬合を治療するシステムおよび方法を提供することにある。ここで、上顎大臼歯が台形形状であるので、中間遠位側で多くの空間を占め、第１上顎大臼歯と小臼歯との間で閉鎖される隣接歯間を保持するように、この大臼歯の中間頬の咬頭が舌側にわずかに回転され、大臼歯を最終症状に回転するのを促進するように、上顎第１永久大臼歯ソケットを回転する。
【００７９】
本発明のさらなる利点は、離間咬合器具設計において親指しゃぶりを思いとどまらせる、口蓋領域舌から切歯に下方に降下する突起をするごくすることができる、上顎シェルと下顎シェルの間の増加した厚さを有する歯科器具、不正咬合を治療するシステムおよび方法を提供することにある。
【００８０】
本発明のさらなる利点は、歯科器具の犬歯の遠位切縁（長さと傾斜の勾配の増加）が、上方と下方の両側で犬歯からの押し込み効果により歯を中線の方に移動させることによって、切縁空隙閉鎖を高めるよう強調される、上顎シェルと下顎シェルの間の増加した厚さを有する歯科器具、不正咬合を治療するシステムおよび方法を提供することにある。
【００８１】
本発明のさらなる利点は、歯の舌付け根トルクを助けるために、上顎切歯の唇の歯冠の歯肉の１／３に対して圧力を与える歯科器具の上顎唇セメント−エナメルリブを増加されることができる、上顎シェルと下顎シェルの間の増加した厚さを有する歯科器具、不正咬合を治療するシステムおよび方法を提供することにある。
【００８２】
本発明のさらなる利点は、歯科器具の大臼歯ソケットが、異常な形状の大臼歯、特に、正方形の脱落性または永久大臼歯を受け入れる可能にするために、角を丸めずに方形形状である、上顎シェルと下顎シェルの間の増加した厚さを有する歯科器具、不正咬合を治療するシステムおよび方法を提供することにある。
【００８３】
本発明のさらなる利点は、歯科器具の上顎切歯ソケットの歯帯が、より大きい歯帯構造を持つ切歯を受け入れるために、わずかに増加され得る、上顎シェルと下顎シェルの間の増加した厚さを有する歯科器具、不正咬合を治療するシステムおよび方法を提供することにある。
【００８４】
本発明のさらなる利点は、種々の口腔を収容するために、また、前歯だけの前方器具だけを与えるような患者の快適さのために、あらゆる長さの歯科器具を提供することができる、上顎シェルと下顎シェルの間の増加した厚さを有する歯科器具、不正咬合を治療するシステムおよび方法を提供することにある。
【００８５】
本発明のさらなる利点は、この領域の歯のさらなるまたはあらゆる移動を止めるとともに、歯科器具の嵌合の保持力を増加させるために、歯科器具のあらゆる領域の内部にシリコーン樹脂、アクリル樹脂などの材料を利用することができる、上顎シェルと下顎シェルの間の増加した厚さを有する歯科器具、不正咬合を治療するシステムおよび方法を提供することにある。
【００８６】
本発明のさらなる利点は、歯肉組織のクリアランスの種々の量と、まだ萠出していない組織にまだ存在する永久歯を持つ若い子供のより傾いた歯槽突起とを有することができる、上顎シェルと下顎シェルの間の増加した厚さを有する歯科器具、不正咬合を治療するシステムおよび方法を提供することにある。このクリアランスにより、上顎縁および下顎縁は、組織を掘り下げることなく、この組織をきれいにすることができる。また、このクリアランスは、器具縁による患者の圧力や組織への掘り下げを避けるために、歯科器具材料の予防的なトリミングの必要性を防ぐ。
【００８７】
本発明のさらなる利点は、例えば、上半部と下半部の後端においてスロットにそのリーフを滑らせる金属ヒンジなどのあらゆる手段により分離され得る分離可能な上半部と下半部を有することができる、上顎シェルと下顎シェルの間の増加した厚さを有する歯科器具、不正咬合を治療するシステムおよび方法を提供することにある。
【００８８】
本発明のさらなる利点は、別々の上顎および下顎シェルに成形され得るヒンジ機構を有するとともに、より快適にそれを作る前部と同様に、後部において非常に薄く、上顎および下顎シェルがともに蝶番で動き、力で離れる歯科器具を提供することができる、上顎シェルと下顎シェルの間の増加した厚さを有する歯科器具、不正咬合を治療するシステムおよび方法を提供することにある。
【００８９】
本発明のさらなる利点は、より柔らかい材料からなる上顎シェルと下顎シェルの材料よりも硬い材料から構成される薄いヒンジを有することができる、上顎シェルと下顎シェルの間の増加した厚さを有する歯科器具、不正咬合を治療するシステムおよび方法を提供することにある。ヒンジは、強力であるとともに硬く、力で、歯科器具を厚くさせることなく、２つの半部の距離を保持するのを助けることができる。歯科器具は、歪曲なく完全に協同で上顎シェルと下顎シェルの側方移動における相対位置を維持するとともに、ヒンジの硬さのために変更なく完全な整列の前後関係を維持することができる。
【００９０】
本発明のさらなる利点は、歯科器具の予め形成されたソケットやスロットが、歯の完全な咬頭嵌合に、あるいは、理想のまたは修正されたアーチ形状で、上歯に関して下顎をわずかに前進後退する特別な配列で配置されるために、２本以上の歯のために設計され得る、上顎シェルと下顎シェルの間の増加した厚さを有する歯科器具、不正咬合を治療するシステムおよび方法を提供することにある。それらのすべては、限定するわけではないが、オーバーバイト、オーバージェット、離間咬合、大臼歯と後方歯の咬合、アーチの変化、捻転、叢生、離間、側頭下顎骨機能や問題の矯正、顎関係および口腔習慣や機能不全を含む不正咬合のいくつかの問題を矯正することができるために、歯の移動を刺激し、顎の移動や成長を増加し、顎の移動や成長を制限する受動的装着あるいは能動的咬合装着で、患者の歯を自動的に矯正する。
【００９１】
本発明のさらなる利点は、快適さを増加させるために、歯のみを覆う上部および下部縁を有することができる、上顎シェルと下顎シェルの間の増加した厚さを有する歯科器具、不正咬合を治療するシステムおよび方法を提供することにある。
【００９２】
本発明のさらなる利点は、上顎シェルと下顎シェルを接触したまま別々にすることができる機構を持つ歯科器具の設計は、２本以上の歯用の予め形成されたソケットまたはスロットで作られ、あるいは、モデルを取り、デジタル写真、Ｘ線などの別の情報源による情報を得ることにより、または、予め形成（歯のサイズや形状の基準から得られ）もしくはカスタマイズ（特定の患者から直接得られるような）の組み合わせにより、患者の口腔の実際のモデルまたはデジタル表示からカスタムメイドされる、上顎シェルと下顎シェルの間の増加した厚さを有する歯科器具、不正咬合を治療するシステムおよび方法を提供することにある。
【００９３】
本発明のさらなる利点は、患者の歯の大きさの測定が、例えば、定規、複数の歯や１本の歯の幅やサイズのある種の尺度、器具のあるサイズを得るための組み合わせなどのあらゆる手段によって得られる、上顎シェルと下顎シェルの間の増加した厚さを有する歯科器具、不正咬合を治療するシステムおよび方法を提供することにある。
【００９４】
本発明のさらなる利点は、「Ｕ」字形状であり、上歯と下歯の外形に一般的に従って、個別の歯ソケットまたは２本以上の歯用のスロットの間に凹地を持つ唇または頬および舌フランジに歯を収容する溝（歯科器具が歯の外形を画定する隣接歯間リブを有しても有さなくてもよい）を有することができる、上顎シェルと下顎シェルの間の増加した厚さを有する歯科器具、不正咬合を治療するシステムおよび方法を提供することにある。
【００９５】
本発明のさらなる利点は、不正咬合を治療するとともに、脱落性、混成または大人の生歯における種々の年齢の歯を矯正し、オーバーバイト、オーバージェット、離間咬合、顎関係、叢生、捻転、ＴＭＪ問題などの問題が発達しあるいは同じ問題を矯正するのを防止するために、種々のサイズの歯科器具を提供することができる、上顎シェルと下顎シェルの間の増加した厚さを有する歯科器具、不正咬合を治療するシステムおよび方法を提供することにある。
【００９６】
本発明のさらなる利点は、歯の萠出を制御し、あるいは、オーバーバイト、ガミースマイルを矯正し、歯の咬合を平らにし、矯正咬合、矯正ＴＭＪ問題（側頭下顎骨問題）などのように適切に歯を嵌合させるために、特定の歯を押し下げることができる、上顎シェルと下顎シェルの間の増加した厚さを有する歯科器具、不正咬合を治療するシステムおよび方法を提供することにある。
【００９７】
本発明のさらなる利点は、大人の膠原繊維形成前に、これらの繊維が発育する間、その結果を安定させることができる歯科器具であるいはあらゆる他の保持装置によってそれらをまっすぐに保持するために、入ってくるまたは萠出する歯を矯正することができる、上顎シェルと下顎シェルの間の増加した厚さを有する歯科器具、不正咬合を治療するシステムおよび方法を提供することにある。
【００９８】
本発明のさらなる利点は、治療の後期の定期的な歯列矯正ブレースや他のタイプの歯列矯正を避けるために、歯を十分に矯正することができる、上顎シェルと下顎シェルの間の増加した厚さを有する歯科器具、不正咬合を治療するシステムおよび方法を提供することにある。
【００９９】
本発明のさらなる利点は、アングルクラスI（通常の顎または大臼歯関係）、クラスII（通常位置から後方に低い顎または大臼歯）、クラスIII（通常位置から前方に低い顎または大臼歯）の場合の顎関係を矯正することができる、上顎シェルと下顎シェルの間の増加した厚さを有する歯科器具、不正咬合を治療するシステムおよび方法を提供することにある。
【０１００】
本発明のさらなる利点は、中間または遠位側に歯を容易に滑らせることを可能にして、歯のあらゆる組み合わせの間の隣接歯間リブが取り除かれる、上顎シェルと下顎シェルの間の増加した厚さを有する歯科器具、不正咬合を治療するシステムおよび方法を提供することにある。
【０１０１】
本発明のさらなる利点は、離間矯正において大臼歯の押し下げのために後方により柔らかい材料、あるいはより快適な歯の回転のために前方により柔らかい材料などのある問題を矯正する際に、より快適およびより効果的にするために、種々の弾力性や硬度または両タイプの材料の組み合わせを持つ歯科器具を製造することができる、上顎シェルと下顎シェルの間の増加した厚さを有する歯科器具、不正咬合を治療するシステムおよび方法を提供することにある。
【０１０２】
本発明のさらなる利点は、脱落性または永久歯のあらゆる組み合わせや数を治療することができ、歯のあらゆる組み合わせの層状の萠出のあらゆるときまたは期間中に、口腔内に存在しまたは欠落する脱落性および永久歯のあらゆる組み合わせで用いられ得る、上顎シェルと下顎シェルの間の増加した厚さを有する歯科器具、不正咬合を治療するシステムおよび方法を提供することにある。
【０１０３】
本発明のさらなる利点は、完全な結果を達成するために、（ａ）過度のオーバージェットや後退した顎関係、あるいは、（ｂ）突出した歯または顎関係が存在するか否かに依存して、歯科器具内の歯の配列が、（ａ）理想（完璧）を越えて、あるいは（ｂ）理想に達せずに構成され得る、上顎シェルと下顎シェルの間の増加した厚さを有する歯科器具、不正咬合を治療するシステムおよび方法を提供することにある。
【０１０４】
本発明のさらなる利点は、歯ソケットが大きくなるにつれて増加する変化するアーチ幅を持つ歯科器具を提供することができる、上顎シェルと下顎シェルの間の増加した厚さを有する歯科器具、不正咬合を治療するシステムおよび方法を提供することにある。この場合、患者の歯がより大きいときに、ソケットよりも小さい歯を持つ患者ならば、アーチサイズを増加させる。これにより、叢生のために空間を作るために、アーチを広げあるいは拡張することができる。
【０１０５】
本発明のさらなる利点は、小さい脱落性歯などの小さい歯を持つ患者が、大きいサイズの歯ソケットと大きいアーチ形状とを持つ大きい歯科器具を装着するのを可能にする種々のサイズの歯科器具を提供することができる、上顎シェルと下顎シェルの間の増加した厚さを有する歯科器具、不正咬合を治療するシステムおよび方法を提供することにある。結果として、アーチのサイズを増加することができ、多くの空間が叢生の発生を防止するのを可能にするために、より大きい大人の歯がアーチ中に萠出するとき必要となる空間を増加させることができる。
【０１０６】
本発明のさらなる利点は、患者の歯の交差咬合の矯正をよく制御し、大人の歯の萠出をよく制御するために、唇／頬および舌保護部のより高く厚い縁を有する歯科器具を提供することができる、上顎シェルと下顎シェルの間の増加した厚さを有する歯科器具、不正咬合を治療するシステムおよび方法を提供することにある。
【０１０７】
本発明のさらなる利点は、ユーザが歯科器具を装着し、開口したとき、上顎シェルと下顎シェルを分離させることができる手段を持つのに十分な大きさであり、肺に器具を吸い込み、息が詰まったり、歯科器具を飲み込んだりするのを防止することができるより高い縁を有する歯科器具を提供することができる、上顎シェルと下顎シェルの間の増加した厚さを有する歯科器具、不正咬合を治療するシステムおよび方法を提供することにある。
【０１０８】
本発明の追加の特徴および利点は、最適実施形態の詳細な説明に記載され、この好適実施形態および図面から明らかになるであろう。
【発明を実施するための最良の形態】
【０１０９】
本発明は、上顎シェルと下顎シェルとの間の増加された厚さを有する歯科器具、不正咬合を治療するシステムおよび方法に関する。歯科器具は、ユーザの上歯を収容する上顎シェルを有する。また、歯科器具は、ユーザの下歯を収容する下顎シェルを有する。上顎シェルと下顎シェルは、例えば、ヒンジで連結されてもよい。さらに、上顎シェルと下顎シェルは、接触しているが別々のものであり、前後および横方向に一定の上半部と下半部の関係位置を維持することができるあらゆる他の手段によって連結されてもよい。さらに、上顎シェルと下顎シェルの厚さは、公知の歯科器具よりもユーザの口腔内のさらに後方に歯科器具の位置決めを可能にするサイズである。また、歯科器具のヒンジ部あるいは他の連結手段は、ユーザの奥歯に不正咬合の治療を拡張し、ユーザの顎の調整を助けるサイズである。
【０１１０】
同様の符号は同様の構成要素（部品）を示す図面において、図１は、上顎シェル４と下顎シェル６とを有する歯科器具２を示す。上顎シェル４は、平らな咬合面８を有する。また、下顎シェル６は、平らな咬合面（図示せず）を有する。上顎平坦咬合面８と下顎平坦咬合面の両方は、干渉することなく、咬頭や溝構造の変化を有する種々の歯を収容することができる。上顎シェル４と下顎シェル６は、例えば、ヒンジ部１０または他の手段によって取り付けられる。頬保護部１２は、歯科器具２の外部境界または壁部を提供し、舌保護部１４は、歯科器具２の内部境界または壁部を提供する。
【０１１１】
歯科器具２は、切歯を収容する歯科器具２の前部１８において、上顎シェル４と下顎シェル６の間の第１厚さ１６を有する。第１厚さ１６は、歯科器具２を装着するとき、ユーザのこう筋を刺激するサイズである。具体的には、上顎シェル４と下顎シェル６の間の第１厚さ１６は、ユーザが寝ている間、歯科器具２を口腔内に保持するのを助けるものである。さらに、歯科器具２は、上顎骨（上顎）と下顎骨（下顎）の切歯および犬歯に対して押圧力を増加するために、ユーザの生歯に対して力を加える。結果として、歯科器具２は、過度のオーバーバイトを矯正するのを助ける。さらに、第１厚さ１６が増加されるにつれて、歯科器具２は、閉口筋組織の自動的なトリガを増加させる。
【０１１２】
ヒンジ部１０は、上顎シェル４の咬合面８と下顎シェル６の咬合面（図示せず）との間の第２厚さ２０を有する。切歯を収容する上顎シェル４と下顎シェル６の間の第１厚さ１６は、ヒンジ部１０の第２厚さ２０と同じであってもよく、違っていてもよい。好ましくは、第１厚さ１６は、特に、歯科器具２がオーバーバイトを治療する場合には、第２厚さ２０よりも大きい。第１厚さ１６と第２厚さ２０は、装着された際ユーザの口腔の奥の近くに歯科器具２を配置することができるサイズである。第１厚さ１６と第２厚さ２０は、公知の歯科器具よりも、ユーザの口腔内の遠く（奥）に歯科器具２を装着することができるサイズである。
【０１１３】
図２は、公知の歯科器具２２を示す。歯科器具２２は、ユーザの個々の歯を収容する複数のソケット２４を有する。また、歯科器具２２は、舌保護部２６と頬保護部２８の間に峡部２７を有する。峡部２７は、ヒンジ部３２において、あるいは、他の公知の実施例では、上顎シェルと下顎シェルを互いに固定する歯科器具の最後部領域において、減らされた厚さ３０を有する。例えば、その厚さ３０は、ときには１ｍｍよりも小さい。図４Ａは、線Ｂ−Ｂに沿って一般に取られたヒンジ部３２の断面図を提供する。前述のように、歯科器具２２の減らされた厚さ３０は、奥歯の萠出を促進するよう意図されるが、峡部２７への力を与えるために、遠位端２５を越えて安定リブ２３を必要とする。図４Ｂは、歯科器具２２の遠位端２５の部分平面図を示す。歯科器具２２は、奥歯の完全な萠出を防止し、不正咬合の完全な治療を可能にしない。さらに、減らされた厚さ３０は、歯科器具２２の後部３１が第３大臼歯の咬合面全体を覆うのを妨げる。結果として、第３大臼歯の一部だけが歯科器具２２により矯正される。また、第３大臼歯の歯科器具２２の傾斜動作（tipping action）、特に、リブ２３による第３大臼歯の移動の低下により、大臼歯の直立状態に影響を与える。
【０１１４】
図３は、本発明の歯科器具３４を示す。歯科器具３４は、ユーザの個々の歯を収容する複数のソケット３６を有してもよく、２本以上の歯用のスロットを有してもよい。ソケット３６またはスロットは、特定の患者の口腔の印象から作られてもよい。また、ソケット３６またはスロットは、脱落性、混成あるいは大人の生歯に用いられる理想的配列に配列された歯のグループの形状やサイズの統計的基準から作られてもよい。また、歯科器具３４は、図２の公知の歯科器具２２よりも、切歯を収容する上顎シェル４０および下顎シェル４２の領域において、上顎シェル４０と下顎シェル４２の間の増加された厚さ３８を有する。さらに、歯科器具３４は、例えば、ヒンジ４８または上顎シェル４０と下顎シェル４２とを連結する他の手段で増加された厚さ４６を有する峡部４４を有する。ここで、上顎シェル４０と下顎シェル４２は側方または前後において互いに適当な関係を保ち得る別体である。峡部４４の厚さ４６は、図２に示す峡部２４の厚さ３０に比較して大きい。図５は、線Ｃ−Ｃに沿って一般に取られる、峡部４４の断面図を提供する。
【０１１５】
峡部４４の増加した厚さ４６により、後部縁を厚くすることができ、歯科器具３４が構成される弾性材料にもかかわらず、口腔の後部における歯の移動により大きい力を提供し、特に、縁が厚くなる口腔前部において、ユーザを快適なままにすることを可能にする。さらに、峡部４４の増加した厚さ４６は、遠位端２５において図２の歯科器具２２のリブ２３の必要性を排除する。また、峡部４４の増加した厚さ４６により、歯科器具３４の遠位端３７は、ユーザの口腔内のさらに奥へ進むことができる。遠位端３７は、混成生歯、脱落性生歯あるいは全部大人の生歯を有するユーザの第３大臼歯の歯冠全体を覆うとともに、支持することができる。
【０１１６】
図４Ａにおいて、舌保護部２６と頬保護部２８は高さ２９を有する。峡部２７の減らされた厚さ３０とともに、歯科器具２２には本発明の歯科器具３４ほどはユーザの口腔内のさらに奥に進むことができないために、遠位端２５において、頬保護部２８および舌保護部２６の高さ２９は減少させられる。しかしながら、図３の歯科器具３４は、峡部４４の増加した厚さ４６のために、舌保護部４３と頬保護部４５の増加した高さ４１を有する。また、舌保護部４３と頬保護部４５の厚さ５５も増加される。結果として、歯科器具３４は、舌保護部４３と頬保護部４５を支持するための増加した強さを有する。さらに、歯科器具３４は、公知の歯科器具よりも、ユーザの口腔内のさらに奥に配置されてもよい。また、歯科器具３４は、第３大臼歯や第３大臼歯に隣接している歯の頬への移動や舌への移動を抑制することができる。頬移動や舌移動の抑制により、大臼歯の交差咬合または収縮したあるいは広い上顎／下顎アーチをよりよく抑制し、治療することができる。また、頬移動や舌移動の抑制は、両側の交差咬合やはさみ咬合の完全な矯正を可能とする。一実施形態では、舌保護部４３および頬保護部４５のより大きい高さ４１と、舌保護部４３および頬保護部４５のより大きい厚さ５５により、歯科器具３４は、後方領域における交差咬合を抑制し、公知の歯科器具２２よりも効率的に大臼歯の萠出を制御することができる。
【０１１７】
さらに、ヒンジ４８または他の連結手段は、舌保護部４３および頬保護部４５の高さ４１と厚さ５５の増加のために、横への移動と同様に、閉鎖に対するより大きな耐性を提供することができる。また、ヒンジ４８は、オーバージェットや大臼歯関係の治療にとって重大である前後への歪曲を作り出すことなく、適切な前方位置で閉口するために、ユーザの下顎を案内する。また、ヒンジ４８は、上顎および下顎の適切な咬頭嵌合と横調整が適切な咬合を促進させることができるので、下顎の増加した横制御を提供する。また、ヒンジ４８または他のあらゆるヒンジ機構は、線Ｇ−Ｇとして図６Ｂに示すように、ユーザの口腔の前部における中線の適切な矯正を可能とする。
【０１１８】
一実施形態では、装着された歯科器具３４は、脱落性または混成生歯を有するユーザの第１脱落性大臼歯を覆うために、後方に進む。もう一つの実施形態では、歯科器具３４は、脱落性または混成生歯を持つユーザの第２脱落性大臼歯を覆うために、後方に進むよう設計されてもよい。また別の実施形態では、歯科器具３４は、混成生歯または永久生歯も有するユーザの第１永久大臼歯を覆い、あるいは大人の生歯における第２永久大臼歯を覆うために、後方に進むよう設計されてもよい。
【０１１９】
一実施形態では、歯科器具３４は、ヒンジの弾力性を強化する広く開いた位置に成形されてもよい。結果として、歯科器具３４は、口を開けると開くようになっている。もう一つの実施形態では、歯科器具３４は、上顎シェル４０と下顎シェル４２が一緒に成形されるのを防止するために、分割線（図示せず）に金属板を配置して成形される。別の実施形態では、歯科器具３４は、例えば、鋸やナイフで切って、上顎シェル４０と下顎シェル４２を形成してもよい。閉口位置において成形されるとき、歯科器具３４は、歯科器具３４を構成する材料が冷える間、開口位置に開けられ、保持されてもよい。別の実施形態では、歯科器具３４のヒンジ４８は、冷却中、開口位置に開けられ、再加熱されて保持されてもよい。
【０１２０】
上顎シェル４０と下顎シェル４２の間の増加した厚さ３８により、切歯を収容する図３の歯科器具３４のある領域では、歯科器具３４が、例えば、ゴムヒンジ、金属板、スナップ、金属バネ、反発し合う磁石などの１以上のタイプのヒンジ機構を実装することができる。上顎シェル５３と下顎シェル５５の間の減少した厚さ５１、３０のために、ヒンジを薄く、弱くさせるので、図２の歯科器具２２ではヒンジの実装は不可能である。しかしながら、図３の歯科器具３４は、弾性材料から歯科器具３４を構成するにもかかわらず、重くなり得るあらゆるタイプのヒンジ機構を実装することができる。結果として、ヒンジは、閉鎖の増加した力に逆らい、子供の下顎の横への移動に耐えることができる。さらに、ヒンジは、脱落性生歯、混成生歯、あるいは大人の生歯を有するユーザの不正咬合の治療するために歯科器具３４に実装されてもよい。歯科器具３４は、痛みがなく、歯を矯正する弾性を必要とするが、ヒンジは、特に、脱落性生歯、混成生歯または大人の生歯を治療するために、より厚いヒンジの結果として、より強い硬さを必要とする。そこでは、ユーザは、ユーザの年齢が増加するにつれて、歯科器具３４に対する増加した力を与えることができる。
【０１２１】
子供か大人が睡眠中に歯科器具３４を装着し、子供か大人がそばで寝ている場合、子供や大人の顎は、対向する顎に対して一方に押される。分厚く大きいサイズのヒンジや他の連結手段は、顎の動きに耐えて、ユーザの生歯の歪曲を防止するとともに、歯のより完全な矯正を促進させることができる。また、ヒンジがそのサイズのために歪曲により耐性がある歯科器具３４の弾力性は、歯科器具３４の可撓性が必要とされる、例えば、５歳以上のユーザの不正咬合を治療するのに重大（重要）である。
【０１２２】
図３の歯科器具３４の前部１４１における増加した厚さ３８は、歯科器具３４の後部３７の厚さ４６を越えて通常以上に増加させられるならば、奥歯の萠出や前歯の下降を促進させることによって、過度のオーバーバイトを矯正するのを助ける。一実施形態では、厚さ３８は、歯科器具３４の後部３７の厚さ４６や通常の厚さよりも小さい。結果として、歯科器具３４は、奥歯がくぼみ、前歯が萠出するのを可能にする離間咬合を矯正するのを助ける。
【０１２３】
図６Ａにおいて、歯科器具２２の正面図を提供する。歯科器具２２は、上顎切歯１７と下顎切歯１９の切縁間に狭い垂直距離１６を有する。図６Ｂは、切歯を収容する領域の上顎切歯３３と下顎切歯３５の間の増加した厚さ３８により、ヒンジ４８と峡部４４の全容量の増加を可能にする歯科器具３４を示す。図６Ｃは、矢印８５がユーザの口腔内の歯科器具３４の適切な配置の方向を示す歯科器具３４を示す。
【０１２４】
図７は、上顎シェル６４と下顎シェル６６との間の増加した厚さ６２を有する歯科器具６０の後部斜視図を示す。増加した厚さ６２により、舌面６８は、歯科器具６０の前端７３において割れ目１０１から増加した高さ７２を有する凹部７０を有することができる。より詳細には、凹部７０は、第１脱落性大臼歯や第１小臼歯を収容するソケット７４、犬歯を収容するソケット７６、および切歯を収容するソケット７８に隣接して、最大高さを有する。凹部７０により、休憩姿勢中、ユーザの舌を上顎アーチの口蓋に対して口腔内の高い位置に置くことができる。さらに、凹部７０は、異常な位置である下顎アーチの下方位置に舌を置くことを防止する。ユーザの舌を持ち上げることにより、歯科器具６０は、上顎アーチの拡大や拡張をもたらす。
【０１２５】
一実施形態では、突起やスパイク１９０は、歯科器具６０の舌面６８に組み込まれ、飲み込み中や休憩の間、舌が前方に押されるのを防止する。陥凹部１９２は、歯科器具の中線で、ソケット７８の後ろ、口腔の奥のより近くに配置される。陥凹部１９２は、飲み込み中、舌を配置することについて、ユーザの案内として機能する。
【０１２６】
さらに、図７の歯科器具６０は、下顎シェル６６から延伸する舌タブ７１を有する。分離７３は、ユーザの舌中線小帯の舌タブ７１の間に設けられてもよい。舌タブ７１は、下側に配置された下顎側切歯の萠出と唇の再配置を助けるために、側方に延伸する。
【０１２７】
また、歯科器具６０は、上顎シェル６４と下顎シェル６６内に後方スロット７５を有する。上顎シェル６４と下顎シェル６６の間の増加した厚さ６２のために、後方スロット７５は、公知の歯科器具の後方スロットよりも中間遠位側で長い。結果として、後方スロット７５は、ユーザに共通の変化である大きいサイズの後方歯を適切に収容する。後方スロット７５は、歯科器具６０の遠位端７７においてショベルのような形状を有し、歯科器具３２の峡部２７に追加の強度を与えるために、遠位リブ２３を必要とせず、遠位端７７において平坦に先細になる。後方スロット７５が先細になるにもかかわらず、ヒンジ部７９は、ヒンジ部７９の増加した厚さ８１のために、ユーザの奥歯の適切な矯正を維持することができる。
【０１２８】
図８において、歯科器具６０の前部７３に好ましく配置される呼吸穴８２を有する歯科器具６０（８０）の正面図を提供する。前部７３における呼吸穴８２の設置は、例えば、喘息、アレルギー、同様の健康状態を持つ患者にとって望ましい。呼吸穴８２により、ユーザは、呼吸を維持しつつ、長期間歯科器具６０にかみつくことができる。歯科器具６０は、切縁８７と第１の分割線８９の間で上顎シェル８６内に第１の増加した厚さ８４を有する。同様に、下顎シェル９０は、切縁９１と第２の分割線９３との間に第２の増加した厚さ８８を有する。第１の増加した厚さ８４は、第２の増加した厚さ８８と同じであってよく、異なっていてもよい。
【０１２９】
第１の増加した厚さ８４と第２の増加した厚さ８８により、呼吸穴８２を、公知の歯科器具に配置される呼吸穴よりも大きいサイズにすることができる。結果として、呼吸穴８２は、歯科器具６０により与えられるユーザの歯への垂直な力と干渉しない。垂直な力は、例えば、オーバーバイトを適切に矯正し、ユーザの歯を矯正（まっすぐに）するのに必要とされる。
【０１３０】
図９は、歯科器具９２の正面図を示す。歯科器具９２の上顎シェル１０２と下顎シェル１０４の両方に形作られた線１００は、口腔内に歯科器具９２を配置する適当な方法をユーザに示す。
【０１３１】
図１０Ａ〜図１０Ｅにおいて、異なるタイプの生歯を有するユーザを治療する歯科器具の種々の歯との関係を提供する。具体的には、図１３に示すような歯科器具１５０は、永久生歯を有するユーザを治療し、図１０Ａに示すような上顎切歯１０４と下顎切歯１０６のほとんど終端間関係１０３を有する。図１０Ｂは、完全な生歯において上顎切歯１０７と下顎切歯１０８の間の前後距離がおよそ０．５〜１．５ｍｍのオーバージェットである理想的な切歯関係１０５を示す。混成または脱落性生歯を有するユーザを治療し得る図１４に示す歯科器具１７０または図１５の歯科器具１９０の使用において、図１０Ｃに示すように、１．０〜２．５ｍｍのオーバージェット関係を示す。子供が若ければ若いほど、それぞれ図１４および図１５の歯科器具１７０、１９０の設計において、より大きいオーバージェットを示す。図１０Ｃは、混成または脱落性生歯を有するユーザを治療し得る図１４および図１５に示す歯科器具１７０、１９０の上顎切歯１１１と下顎切歯１１３の間の切歯の関係を示す。歯科器具１９０の切歯関係１０９は、例えば、１〜２．５ｍｍのオーバージェットを有する。上顎切歯１１０と下顎切歯１１２の終端間の関係１１４は、図１０Ｄに示される。
【０１３２】
もう一つの実施形態では、歯や顎の関係の種々の配列は、歯科器具１０３を常時装着しない場合を補償するために、図１０Ａに示すように、理想（完璧）をわずかに越えるような歯科器具１０３によって作られ得る。図１０Ｂは、完全な顎関係１０５を示す。図１０Ｃは、考慮すべき下顎成長がまだ残っている若い世代に完璧の必要性を推奨しないので、完璧さに欠ける顎関係１０９を示す。ユーザが若く、下顎の成長が数年残っているならば、歯科器具１７０または歯科器具１９０のより大きなオーバージェット構成をユーザに提供してもよい。
【０１３３】
一実施形態では、ユーザの後退している顎のために、補償を必要とする。したがって、図１０Ｄに示すように、あるいは、１〜４ｍｍだけ（図示せず）上歯１１０の前に下歯１１２を位置する場合でも、終端間顎および歯の関係を提供してもよい。一実施形態では、患者やユーザは、クラスIIIとして言及する、大きくなりすぎた下顎や下顎突出の補償を必要としてもよい。ユーザにより大きいオーバージェット構成を提供する図１０Ｅに示すような、上顎切歯１１８と下顎切歯１１９の間の顎関係１１７を提供する歯科器具が必要とされてもよい。
【０１３４】
図１１Ａは、拡張した高さ１３４を有する上顎舌保護部１３２を有する歯科器具１３０の正面図を示す。さらに、上顎舌保護部１３２は、図１１Ｂの断面図に示す犬歯１３６を通して遠位に、あるいは口腔のさらに後方に延伸してもよい。上顎舌保護部１３２は、歯科器具１３０を装着したとき、萠出する犬歯１３６を越えて延伸してもよい。したがって、上顎舌保護部１３２は、高く唇側に萠出する犬歯と接触し、アーチ内に歯を案内する。それは、混成生歯や大人の生歯を持つ、不完全に萠出する歯を有するユーザを治療するのを助ける。
【０１３５】
さらに、上顎舌保護部１３２の拡張した高さ１３４は、ユーザの口腔を開けているときユーザの中線が下側にはずれるのを防止する。結果として、歯科器具１３０は、下顎の発育と成長を助ける。また、歯科器具１３０は、上顎の前方成長パターンを変更する。さらに、歯科器具１３０は、オーバージェットを矯正するのを助ける。また、歯科器具１３０は、上顎を抑制しつつ下顎を前方に移動させることにより、大臼歯関係を矯正する。下顎は、その成長が前方位置に下顎を安定させるまで前方位置に保持される。
【０１３６】
図１２Ａおよび図１２Ｂは、線Ｄ−ＤおよびＦ−Ｆに沿って一般に取られた、公知の歯科器具１４０の前部と本発明の歯科器具１６０の前部の側部断面図をそれぞれ示す。公知の歯科器具１４０は、自由な萠出や不正咬合の治療を必要とする歯の移動を直すセメント−エナメル接合の高いリム１４４を有する。対照的に、歯科器具１６０は、下顎舌領域１６６に滑らかな領域１６８を有するとともに、舌に向かってより傾斜した上顎舌領域１７０に滑らかな領域１６４を有する。滑らかな領域１６８および１６４は、舌方向に、より詳細には、下顎舌縁の端部１６６や上顎舌縁の端部１７０に向かって、より大きい傾斜を有する。上顎の滑らかな領域１６４と下顎の滑らかな領域１６８は、アーチ内の適当な位置に適切に案内されるべき、舌側に位置する切歯や犬歯のためのより段階的な傾きを提供する。
【０１３７】
図１３は、歯科器具１５０を示す。歯科器具１５０は、第３大臼歯を収容するソケット１８２を有する。また、歯科器具１５０は、小臼歯を収容するソケット１９２を有する。一実施形態では、歯科器具１５０は、各側の上顎小臼歯を取り除くように（図示せず）変更される。もう一つの実施形態では、各側の下顎小臼歯を取り除いてもよい（図示せず）。別の実施形態では、例えば、各象限に１本の小臼歯などの４本の小臼歯を取り除いてもよい（図示せず）。これらの各実施形態における残りの小臼歯（図示せず）は、第１小臼歯か第２小臼歯のいずれかを収容するために、第２上顎小臼歯（図示せず）や第２下顎小臼歯（図示せず）と同様のサイズと形状を有する。
【０１３８】
図１４は、公知の歯科器具よりも大きい厚さを有するヒンジ１３７を備える歯科器具１７０を示す。ヒンジ１３７は、例えば、混成生歯を有し、混成生歯の歯科器具を必要とする５、６歳以上の患者に、より頑丈な機構を提供する。また、より厚いヒンジ１３７は、例えば、大人の生歯を有し、大人の生歯の歯科器具を必要とする大人の患者に、より頑丈な機構を提供する。
【０１３９】
一般に、大きい子供や大人は、そしゃくのためのより強い筋肉を有し、結果として、より強い力でかんだり、顎を動かしたりする。より大きく、より重いヒンジデザインは、歯科器具の上顎シェルと下顎シェルの前後への移動と同様に、側方にゆがんだ動きを阻止するために必要とされる。より頑丈なヒンジ４８は、歯科器具へのそのようなゆがみ（歪曲）を防止する。なぜならば、歯科器具の材料全体がユーザに痛みや不快を感じさせることなく、回転した歯を矯正するために、弾性材料（弾力材）から構成されているからである。
【０１４０】
さらに、より厚いヒンジ１３７は、歯科器具１７０においてより厚いまたはより大きい垂直距離８１を提供する。結果として、歯科器具１７０の峡部４４は、より厚くなり（増加した厚さ４６）、歯科器具１７０を口腔の奥に向かってさらに位置させることを可能にする。ここで、遠位端１８０は、第３大臼歯の位置を越えて延伸し、第３大臼歯スロット１８４は、患者の第３大臼歯と接触する。また、歯科器具１７０は、歯科器具の息苦しさ、吸い込みや飲み込みを防止する。歯科器具１５０の遠位端２８０は、第３大臼歯を越えて延伸し、第３大臼歯スロット１８２と患者の第３大臼歯の完全な中間遠位の大きさとの接触を可能にする。同様に、歯科器具１７０の遠位端１８０は、第３大臼歯を越えて延伸し、第３大臼歯スロット１８４と患者の第３大臼歯の完全な中間遠位の大きさとの接触を可能にする。さらに、歯科器具１９０の遠位端３８０も、第３大臼歯を越えて延伸し、第３大臼歯スロット３８６と患者の第３大臼歯の完全な中間遠位の大きさとの接触を可能にする。
【０１４１】
もう一つの実施形態では、歯科器具５０８は、歯科器具５０８の他の部分とは別の材料から構成される図４３Ａ〜図４３Ｅに示すヒンジ機構５００を有する。その材料は、歯科器具５０８の他の部分を形成する材料よりも硬い。さらに、ヒンジ機構は、歯科器具５０８の他の部分の材料に埋め込まれてもよい。ヒンジ機構５００は、金属、プラスチックなどから形成されてもよい。
【０１４２】
ヒンジ機構５００は、例えば、ポリプロピレンなどの材料から形成されてもよい。一実施形態では、ヒンジ機構５００は、ヒンジ機構５００を歯科器具５０８に固定するために、一体型のヒンジ５０２と複数の穴５０４とを有する。一実施形態では、歯科器具５０８はモールドで成形される。モールドの上顎シェルと下顎シェルの柔軟な材料は、ヒンジ機構５００の固定穴５０４に突き出す。さらに、上顎シェルおよび下顎シェルのより柔らかい材料は、図４３Ｄに示すように、一体の歯科器具を作るために、ヒンジ５００の一体ヒンジ部５０２を覆い、歯科器具５０８に隣接するヒンジ機構５００の配置後成形され、あるいは成形されない。この種のヒンジ５００により、歯科器具５０８はより短い厚さ８１とより短い厚さ３８とを有することができる。結果として、歯科器具５０８とヒンジ機構５００は、患者にとってより快適になる。また、歯科器具５０８は、垂直方向により少ない材料で、口腔内の後方にさらに突き出してもよい。
【０１４３】
また、一体ヒンジ５０２は、曲がり得るヒンジ機構５００の一部の厚さを変更することにより、より硬くまたはより弱く形成されてもよい。ヒンジ機構５００は、開口位置に成形されてもよく、開口位置の上顎シェルと下顎シェルに成形されてもよい。これにより、ヒンジ機構５００をより強くするとともに、より柔らかい材料からなる公知のヒンジより大きい力でバネによって開くことができる。
【０１４４】
ヒンジ機構５００は、患者にとってより快適であるという利点を有する。なぜならば、歯科器具５０８は、垂直厚さで際立って小さくなされるからである。歯科器具５０８は、破損耐性のために、公知の歯科器具よりも耐久性がよい。さらに、歯科器具５０８は、柔らかく弾力があるが、硬い材料からなり、より柔らかい材料から構成される公知の歯科ヒンジよりも容易に開口位置に回復するバネなどのヒンジを有してもよい。ヒンジ機構５００は、より大きい塑性復原力を有してもよく、特に、口腔の高温下で、公知の歯科器具と同様の速さで装着されなくてもよい。
【０１４５】
一実施形態では、歯科器具は、上顎シェルと下顎シェルの完全な咬頭嵌合咬合３５４を作るように配列されるソケットまたはスロットを有する。そのような咬合を図４１Ａに示す。図４１Ｄに示すような完全なオーバーバイトとオーバージェット３５６は、図１３、図１４、図１５および図４３Ｄにそれぞれ示す歯科器具１５０、１７０、１９０および５０８から自動的に作られる。さらに、歯科器具１５０、１７０、１９０および５０８は、叢生、捻転あるいは離間を矯正し、異常な症状なく、健康な側頭下顎骨接合を提供することができる。
【０１４６】
一実施形態では、歯科器具は、２本以上の歯用のソケットまたはスロットのあらゆる組み合わせを有する。さらに、歯科器具は、ユーザのモデルを取得した後設計されてもよい。一実施形態では、歯科器具は、平均的な歯のサイズや形状の基準から、あるいは特定の患者のモデルから部分的にまたは完全に形成される。一実施形態では、歯科器具は、デジタル写真、ビデオ画像、Ｘ線などから作られてもよい。もう一つの実施形態では、歯科器具は、コンピュータ生成デジタル画像から作られてもよい。歯科器具は、図３および図４３Ｄに示すように、歯科器具の後部にヒンジ機構を有する。
【０１４７】
図１３、図１４、図１５および図４３Ｄにそれぞれ示す歯科器具１５０、１７０、１９０および５０８は、ユーザの歯を自動的に矯正してもよい。したがって、歯科器具１５０、１７０、１９０および５０８は、個人やコンピュータプログラムによる診断で、機械から分配（販売）されてもよい。一実施形態では、ユーザは、いくつかの例を観察し、彼自身の歯を測定することにより、適切な歯科器具を独立して決定してもよい。歯科器具は、機械により分配されてもよく、処方箋なしで購入されてもよい。
【０１４８】
一実施形態では、ユーザは、箱の端部に提供される画像から前歯を測定することにより、自分自身の歯を測定する。一実施形態では、歯科器具とともにパッケージングで紙測定定規を提供してもよい。もう一つの実施形態では、ユーザは、鏡を見て、ビデオカメラやスチールカメラが歯のサイズを計算し、モニタ上にそのサイズを表示してもよい。
【０１４９】
一実施形態では、図１３、図１４、図１５および図４３Ｄにそれぞれ示す歯科器具１５０、１７０、１９０および５０８は、定規でユーザの歯を測定してサイズを定めている。ユーザは、必要な歯科器具のサイズの評価を得るために、上歯か下歯のいずれかの１本または複数本の歯の幅を測定する。
【０１５０】
もう一つの実施形態では、歯科器具は、一般にＵ字形状のヒンジ機構を有する。さらに、歯科器具の咬合面は、個々の歯のソケットあるいは２本以上の歯のスロットを有する。また、歯科器具は、唇縁、頬縁および舌縁を有する。また、歯科器具は、ユーザの歯のための個々の隣接歯間リブ１９３、１９４および１９６と、図４４に示すような個々のソケットが存在しないスロット歯科器具５１２に歯を配置する領域における隣接歯間伸張とを有する唇縁、頬縁および舌縁を連結する峡部を有する。
【０１５１】
一実施形態では、歯科器具１５０、１７０、１９０および５０８は、ヒンジ機構を有し、異なる年代のグループを治療するための種々の段階的なサイズを有する。歯科器具１５０、１７０、１９０および５０８は、歯を矯正し、歯が萠出する間、口腔内に歯を案内する。また、歯科器具は、オーバーバイト、オーバージェット、ＴＭＪ問題、離間咬合、離間、叢生および捻転を防止するとともに、矯正する。さらに、歯科器具は、歯の萠出を制御し、あるいは、萠出を向上または促進し、あるいは、萠出を抑制または防止し、歯を押し下げてもよい。結果として、歯科器具は、ガミースマイル、オーバーバイトを防止し、歯の適切な咬頭嵌合３５４を作り、あるいは、不適切な咬合３５５のレベルから歯の咬合３５７を適切に平らにしてもよい。
【０１５２】
図３８に示す一実施形態では、歯科器具３４０は、例えば、上顎シェルや下顎シェルの前方あるいは前部だけを収容する長さを有してもよい。また、図１３、図１４、図１５および図４３Ｄの歯科器具１５０、１７０、１９０および５０８は、上顎シェルや下顎シェルの前方あるいは前部だけを収容する長さを有してもよい。もう一つの実施形態では、歯科器具１５０、１７０、１９０および５０８は、種々の長さ（図示せず）を有してもよい。
【０１５３】
図１６Ａおよび図１６Ｂは、歯科器具の上顎シェル２０６と下顎シェル２１８とをそれぞれ示す。上顎シェル２０６は、アーチ幅２００、２０１、２０２、２０３および２０４を有する。下顎シェル２１８は、アーチ幅２０８、２１０、２１２、２１４および２１６を有する。一実施形態では、上顎シェル２０６のアーチ幅２００、２０１、２０２、２０３および２０４は、下顎シェル２１８のアーチ幅２０８、２１０、２１２、２１４および２１６と同様に、図１３、図１４、図１５および図４３Ｄの歯科器具１５０、１７０、１９０および５０８の上顎アーチ幅よりも大きいサイズである。結果として、歯科器具は、両側で収縮された上顎アーチと、両側または片側の後方交差咬合とを矯正することができる。一実施形態では、下顎シェル２１８のアーチ幅２０８、２１０、２１２、２１４および２１６は、上顎シェル２０６のアーチ幅２００、２０１、２０２、２０３および２０４よりも大きいサイズである。歯科器具は、短縮下顎アーチやはさみ咬合を矯正する。図３の歯科器具３４の上顎シェル４０と下顎シェル４２は、上述の上顎シェル２０６と下顎シェル２１８と類似の方法におけるサイズである。歯科器具３４は、舌保護部４３と頬保護部４５の増加した高さ４１と、舌保護部４３と頬保護部４５の増加した厚さ５５の結果として、交差咬合やはさみ咬合などの不正咬合を矯正することができる。一実施形態では、上顎シェル２０６のアーチ幅２００、２０１、２０２、２０３および２０４と下顎シェル２１８のアーチ幅２０８、２１０、２１２、２１４および２１６は、ユーザの歯が大きくなり、あるいは小さくなるにつれて拡大する。しかしながら、このアーチの拡大は、歯のサイズと同等であってもよく、同等でなくてもよい。アーチの伸張のみを必要とするとき、アーチサイズと歯のサイズの間のこの調整は、存在しなくてもよい。
【０１５４】
一実施形態では、上顎シェル２０６のアーチ幅２００、２０１、２０２、２０３および２０４と下顎シェル２１８のアーチ幅２０８、２１０、２１２、２１４および２１６は、同時に両アーチを拡大しあるいは収縮するために、通常のユーザのアーチよりも広いか狭い。
【０１５５】
図１７は、歯科器具２２０の前部の断面図を示す。歯科器具２２０は、上顎領域２２３ａと下顎領域２２３ｂの間の増加した距離を有する。歯科器具２２０は、歯２２３ｂの下顎セットを歯２２３ａの上顎セットに関して後方の位置に移動する（距離２２１を増加させる）ことによって、上顎に関する下顎の突出または前方位置と一般に呼ばれる、クラスIIIの顎関係を矯正することができる。
【０１５６】
図１８Ａ〜図１８Ｅは、前歯の、すなわち、歯科器具の切歯領域のソケットの種々の角形成を示す。図１８Ａは、通常の角形成２２２を示す。図１８Ｂは、ユーザの切歯がより唇側に角張っている角形成２２４を示す。角形成２２４は、例えば、Bioprogressive group philosophiesなどの歯列矯正原理を満足する。図１８Ｃは、角形成２２２よりも大きい直立傾斜角を有する角形成２２６を示す。図１８Ｄは、下顎切歯の通常の角形成２２８を示す。また、図１８Ｅは、角形成２２８に比較してより舌歯冠傾斜を有する角形成２３０を示す。
【０１５７】
一実施形態では、図３の歯科器具３４または図２の歯科器具２２は、器具に存在する３本の下顎切歯を有する。図１９は、ユーザの下顎切歯用の３つのスロット２４０を有する歯科器具２４２を示す。歯科器具は、図１３の大人の生歯用のタイプ、図１４の混成生歯用のタイプまたは図１５の脱落性生歯用のタイプであり、図４０Ｂと図４３Ｄに示すような追加のヒンジ機構を備え得る。
【０１５８】
図２０は、輪ゴム、ヘッドギアまたは他の装置をユーザの口腔内に取り付けるためのフック２４８を有する歯科器具２４６を示す。一実施形態では、歯科器具２４６は、ヘッドギア器具や付属ワイヤをユーザの口腔内に固定するのを助けるチューブ２５０を有してもよい。留め金２４４が設けられてもよく、それは、金属、プラスチックまたは他の材料から構成される。留め金２４４は、ユーザの口腔に歯科器具２４６を取り付けるために用いられる。
【０１５９】
図２１は、１つのスロット２６１を有するとともに、後方歯を収容する領域２６０を有する歯科器具２６５のもう一つの実施形態を示す。スロット２６１は、犬歯を収容する歯科器具２６５の領域２６２において狭くなっていてもよい。また、スロット２６１は、切歯を収容する領域２６４において狭くなっていてもよい。各領域２６０、２６２および２６４は、ユーザの歯の異なるタイプの解剖学総論に適用するために、形状やサイズを変更する。スロット２６１は、上顎シェル２６７や下顎シェル２６９内にあってもよい。他の実施形態では、歯科器具２６５は、上顎シェル２６７や下顎シェル２６９におけるあらゆる数や位置のスロットや個々のソケットのあらゆる組み合わせを有する。
【０１６０】
図２２Ａおよび図２２Ｂは、上顎シェルや下顎シェルにおいてより短い長さを有する舌保護部２７３を有する歯科器具２７４を示す。図２２Ｃに示す一実施形態では、歯科器具２７４には舌保護部は設けられていない。そのような実施形態は、患者の舌が上歯や下歯に対して外向きの圧力を及ぼすのを可能にし、患者のアーチの拡大をもたらす。一実施形態では、複数のソケット２７０は、歯科器具２７４の後部２７１に向かって角張っている歯のために設けられる。上顎アーチおよび下顎アーチの頬保護部２７７は、頬方向に拡張されてもよい。歯科器具２７４は、上歯や下歯を頬側に移動させ、歯を遠くに持っていく。
【０１６１】
一実施形態では、図１３、図１４、図１５および図４３Ｄの歯科器具１５０、１７０、１９０および５０８は、歯科器具が構成されるプラスチックや他の材料で成形されるフッ素化合物をそれぞれ有する。一実施形態では、歯科器具１５０、１７０、１９０および５０８は、歯科器具１５０、１７０、１９０および５０８のソケットまたはスロット領域に置かれるフッ化物液体を有してもよい。フッ化物は、歯科器具が構成される材料に吸収されてもよい。ユーザが歯科器具を装着するとき、フッ素化合物がしみ出てもよく、ユーザの歯に吸収されてもよい。歯科器具は、虫歯や虫歯の穴の予防を提供する。もう一つの実施形態では、装着前に、フッ化物ジェルを歯科器具に配置してもよい。別の実施形態では、歯科器具を口腔内に挿入する前に、ホワイトニングストリップを歯に配置してもよい。図４５に示す一実施形態では、唇保護部または上顎５２６や下顎５２８のシェルは、唇に対向するホワイトニングストリップの位置または上顎前歯や下顎前歯の前面を固定するために、その内部または上顎の唇面５２０および下顎の唇面５２４がざらざらにされてもよい。
【０１６２】
図１３、図１４、図１５および図４３Ｄの歯科器具１５０、１７０、１９０および５０８はそれぞれ、叢生の歯または潜在的に叢生の歯を持つ口腔内に配置されてもよい。一実施形態では、より大きいサイズの歯科器具１５０、１７０または１９０を用いてもよい。結果として、現在または将来の歯の叢生を矯正する矯正中または矯正後に、追加の離間が発生し得る。一実施形態では、離間した歯や子供の潜在的に離間した歯に関する空隙を閉鎖するために、より小さいサイズの歯科器具を用いてもよい。個々の歯科器具は、種々のサイズで設計され、歯のサイズに関して較正され、サイズ間隔に関して等級付けられてもよい。結果として、必要とされる歯科器具のサイズについての予測をより都合よくなすことができる。
【０１６３】
図２３は、歯科器具の頬面２８３や唇面２８５上にスナップされるワイヤ２７６を有する歯科器具２８２を示す。一実施形態では、ボール−ソケット取付具が、ワイヤ２７８上で、歯科器具２８２の内部（図示せず）に設けられてもよい。ボール−ソケット取付具は、差し込み部２８１にスナップされてもよい。図２４に示す一実施形態では、歯科器具２８６は、歯科器具２８６内、すなわち、歯科器具２８６の頬プラスチックあるいは舌プラスチック内にモールドされるワイヤ２８４を有してもよい。ワイヤ２８４、２７６により、歯科器具２８２、２８６の曲がりを大きくし、歯科器具２８２、２８６のサイズを押さえることができ、同様に、ユーザの歯列弓（アーチ）を広げたり収縮したりすることができる。もう一つの実施形態では、ワイヤ２８４は、図２０に示すモールドされたチューブ２５０内に配置される。図２５Ａ〜図２５Ｃは、種々のシェル形状を示す。具体的には、図２５Ａは、歯科器具の通常のシェル形状２８８を示す。図２５Ｂは、歯科器具のテーパ状のシェル形状２８９を示す。また、図２５Ｃは、正方形タイプのシェル形状２９０を示す。シェル形状２８８、２８９および２９０は、患者のアーチの形状を通常の、テーパ上の、および正方形アーチ形状にそれぞれ変更させることができる。
【０１６４】
図２６Ａおよび図２６Ｂは、民族性による切歯の構造的特徴の歯科器具に設けられる調整を示す。例えば、図２６Ａは、アジア人ユーザのために、４本の上顎切歯の辺縁隆線に沿って垂直に中間側および遠位側に、舌面３０１上に変更される上顎切歯を示す。差し込み口３０２は、図２６Ｂに示すように、上顎切歯３０８の舌面３０１上の隆線３０６を収容するために、ソケット３０１の舌側に設けられる。ネグロイドの歯３１０の一例を図２７Ａに示す。ネグロイドの歯３１０は、図２７Ｂに示すように、アジア人や白人よりも正方形である。
【０１６５】
図２８は、歯科器具３２５の断面３１５を示す。歯科器具３１５の切縁ソケット３１６または犬歯ソケット３２９の切縁部３１４は、例えば、ナイフの刃の厚さ３１４に幅を狭くされ、薄くされる。結果として、ユーザの切歯は、切歯の唇舌側厚さにかかわらず、歯科器具３１５のソケットあるいはスロット３１６に適切に押し込まれる。歯科器具３１５は、捻転の矯正を増加させ、オーバーバイトの矯正を助ける。
【０１６６】
図２９Ａは、個々のソケット３１７または２本以上の歯（図示せず）用のスロットに咬合面（図示せず）を有する、図１３、図１４、図１５および図４３ＤのＵ字形状の歯科器具１５０、１７０、１９０および５０８の前部３２９を示す。ここで、縁部３２７は、公知の歯科器具よりも歯肉組織の多くを覆っている。図２９Ｃは、歯肉組織の小さい部分を覆う縁部３３９を示す。図２９Ｂに示すもう一つの実施形態では、歯科器具３１９内の犬歯ソケット３２９は、犬歯咬頭領域３２９が鋭いポイント３１８になるように形成される。一実施形態では、歯科器具３１９は、中線への正中空隙閉鎖を向上するために、上顎あるいは下顎犬歯の強調された遠位切縁部３２１を有する。
【０１６７】
図３０は、上顎前歯３１７と下顎前歯（図示せず）の平面図を示す。ここで、ソケット３２１は、歯を中線に向けて移動するのを促進するために、正中側３２０よりも遠位側３２２で狭くなっている。各歯の正中側は、口腔の中心に歯を移動するために、遠位側３２２の唇舌側寸法よりも唇舌側３２０で広くなっている。
【０１６８】
図３１は、各歯の正中位置３２４ａと遠位位置３２４ｂにおいて隣接歯間リブ３２４を有する歯科器具３２３を示す。隣接歯間リブは、歯を所定の位置に案内するのを助け、捻転、叢生および離間を矯正することができる。
【０１６９】
歯科器具３２５を図３２に示す。歯科器具３２５の抜歯サイト３２６における隣接歯間リブは、抜歯された歯の場所３２６において空隙閉鎖を向上するために、取り除かれてもよい。また、空隙閉鎖は、強調した隣接歯間リブで抜歯サイト３２６の各側の強調したリブ３２８を有することにより、抜歯サイト３２６で拡張されてもよい。一実施形態では、抜歯サイト３２６の各側における歯の増加したリブ３２８は、空隙閉鎖を高めるために強調されてもよい。
【０１７０】
図３３は、上顎小臼歯を抜歯しているユーザを治療する歯科器具３３１を示す。上顎第１大臼歯領域３３０は、上顎第１大臼歯を収容し、半時計方向にその大臼歯を回転させる。結果として、中間頬側咬頭は、抜歯サイト３３７をより効果的に閉鎖するために、正中側に回転される。
【０１７１】
歯科器具３３３の断面を図３４に示す。突起３３２は、ユーザの切歯の後方（舌側）で口蓋から下側に傾斜している。これらの突起は、ユーザの舌が飲み込むときに前方に来るのを防止し、前方舌突出、前方離間咬合あるいは指や親指しゃぶりを矯正することができる。
【０１７２】
図３５は、１本以上の上顎および下顎前歯３１７の歯肉縁において強調した水平唇リブ３３４を有する歯科器具３３５の断面を示す。唇リブ３３４は、上顎または下顎前歯の付け根の舌の移動を増加させ、上顎または下顎前歯の舌付け根のトルクを増加させる。
【０１７３】
歯科器具３３９を図３６に示す。歯科器具３３９は、あらゆる大臼歯タイプの歯を収容するために四角形状である複数の大臼歯ソケット３３６を有し、オーバーバイトや離間咬合の矯正を助ける。
【０１７４】
図３７は、上顎前歯用の強調した歯帯領域３３８を有する歯科器具３４１の断面を示す。結果として、歯科器具３４１は、上顎前歯の領域３３８に共通する形状やサイズのすべての変更を収容することができる。
【０１７５】
一実施形態では、図１３、図１４、図１５および図４３Ｄに示すいずれかの歯科器具は、歯科器具の内部に追加される材料を有してもよい。その材料は、例えば、ビニル樹脂、アクリル樹脂、シリコーン樹脂などである。追加の材料は、歯科器具の内部のリライナとして機能し、歯の移動（図示せず）を安定させる。また、追加の材料は、ユーザの口腔の種々の領域における保持力を増大させる。
【０１７６】
一実施形態では、柔らかい組織のクリアランスは、線Ｃ−Ｃに沿って一般に取られた図３９に示すように、歯科器具３４３の傾斜３４２に基づいて変更される。増加した傾斜３４２は、ユーザの柔らかい組織に対する押圧の発生を防止することができる。さらに、傾斜３４２は、線Ｃ−Ｃから組織を通して大人の歯が萠出されない段階と同様に、若い年代のユーザに有用である。これは、歯科器具３４３の縁４３、４５が若い年代またはあらゆる年齢のユーザの柔らかい組織に掘り下げられるのを防止する。
【０１７７】
図４０Ａに示す一実施形態では、歯科器具３５２は、分離可能な上顎シェル３４９と下顎シェル３５０とを有する。一実施形態では、ヒンジ３４４は、上顎シェル３４９を下顎シェル３５０に取り付け、それは、例えば、金属、プラスチックまたは他の材料から構成される。ヒンジ３４４は、歯科器具３５２の後部端３４８におけるスロット３４６で上顎シェル３４９と下顎シェル３５０に取り付けられる。図４０Ｂは、ヒンジ３４４が上顎シェル３４９と下顎シェル３５０に取り付けられている歯科器具３５２を示す。
【０１７８】
一実施形態では、唇頬および舌保護部の歯肉被覆範囲は、図２９Ｃに示すように、歯の歯冠だけを覆うように低下させられる。図２９Ｃは、前部領域で低下させられる唇保護部を示し、図２９Ａは、歯肉組織の実質的部分を覆うよう高められた唇保護部を示す。
【０１７９】
一実施形態では、ユーザの歯は、大人の膠原繊維形成前に矯正される。さらに、歯を適切に案内した後、歯の矯正（図示せず）を安定させるために、繊維が形成されてもよい。
【０１８０】
もう一つの実施形態では、歯科器具は、例えば、治療の後期の歯列矯正ブレースの使用（図示せず）などの定期的な歯列矯正治療を避けあるいは減らすために、十分に歯を矯正してもよい。
【０１８１】
一実施形態では、歯科器具は、例えば、クラスI、IIおよびIIIの顎関係などの顎関係を矯正してもよい。歯科器具は、下顎を前進させ、下顎が矯正位置に成長するのを促進する。また、歯科器具は、上顎（図示せず）が前方に発育するのを制限し、図４１Ａに示すような完全な咬頭咬合に側歯が萠出するのを可能にする。
【０１８２】
一実施形態では、歯科器具は、歯が適切な咬合（図示せず）にずれ、あるいは中間遠位側に移動するのを可能にするために、ある領域で取り除かれる隣接歯間リブを有する。
【０１８３】
もう一つの実施形態では、歯科器具は、材料（図示せず）の種々の硬さや弾力性を有するよう構成される。一実施形態では、歯科器具は、歯科器具のあらゆる領域で硬さと弾力性の組み合わせを有する。さらに、歯科器具は透明であってもよい。別の実施形態では、歯科器具は、ユーザによる歯科器具の装着を増加させるような異なる色で成形されてもよい。
【０１８４】
一実施形態では、歯科器具は、２本以上の歯用のソケットやスロットを有する。歯科器具は、脱落性、永久、欠落、萠出中の歯を何本でも治療することができる。さらに、歯科器具は、剥離、萠出のあらゆるとき、ユーザの年代順、歯や骨格の年齢などの種々のレベルや位置において、歯を治療することができる。
【０１８５】
もう一つの実施形態では、小さいサイズの口腔と叢生の歯を有するユーザの口腔内に、７歳未満の年齢における叢生を見越してより大きい歯科器具を配置してもよい。別の実施形態では、より小さい脱落性歯に取って代わって萠出する大きい大人の歯を有するユーザの口腔内に歯科器具を配置してもよい。さらに、歯を適切に矯正するために、より大きい歯を有するユーザの口腔内により大きいサイズの歯科器具を配置してもよい。
【０１８６】
図４２Ａは、隣接歯間リブ４０１と、例えば、上顎および下顎切歯などの所定の歯用の個々のソケット４０２とを有する歯科器具４００を示す。図４２Ｂは、歯用の個々のスロットを取り除き、歯を収容する一つのスロット３５８を残す一実施形態における歯科器具４００を示す。図１３、図１４、図１５および図４３Ｄの歯科器具におけるいくつかまたはすべての歯の間のリブを除去することにより、咬頭嵌合や咬合を調整するために、歯が中間遠位側に移動するのを可能にする。
【０１８７】
一実施形態では、歯科器具は、水吸収プラスチックまたは他の材料（図示せず）から成形されてもよい。別の実施形態では、歯科器具は、唾液を吸収し、歯科器具に存在する各材料のパーセンテージに依存して、歯科器具が口腔内に保持される時間量に関連して色を変更するために、吸収材料とともに非吸収材料の一部に成形されてもよい。また、歯科器具は、色を変化させない非吸収材料から構成されてもよい。吸収性の歯科器具は、例えば、フッ化物を吸収してもよい。フッ化物は、歯科器具の使用中しみ出し、虫歯（図示せず）を防止（予防）する。
【０１８８】
図１３、図１４、図１５および図４３Ｄの歯科器具を含む種々の歯科器具に適用されるすべての実施形態は、ユーザの歯のサイズや形状に依存して、１以上のサイズで作られてもよく、そうでなくてもよい。人力で、あるいはデジタル写真、Ｘ線などによりコンピュータで自動化された診断を用い、あるいは用いることなく、すべての歯科器具を自動の分配機で分配（販売）してもよい。
【０１８９】
現在好適な実施形態に種々の変更や改良を加えることは当業者にとって明白であることを理解されたい。このような変更や修正は、本発明の精神と範囲から逸脱することなく、また、本発明の効果を減少させることなくなされるであろう。
【図面の簡単な説明】
【０１９０】
【図１】本発明の一実施形態における歯科器具の上部斜視図を示す。
【図２】公知の歯科器具の上部斜視図を示す。
【図３】本発明の一実施形態における歯科器具の上部斜視図を示す。
【図４Ａ】線Ｂ−Ｂに沿って一般に取られる公知の歯科器具のヒンジ部の断面図を示す。
【図４Ｂ】線Ａ−Ａに沿って一般に取られる図２の歯科器具のヒンジ部の上部斜視図を示す。
【図５】線Ｃ−Ｃに沿って一般に取られる図３の歯科器具のヒンジ部の断面図を示す。
【図６Ａ】図２の歯科器具の正面図を示す。
【図６Ｂ】図３の歯科器具の正面図を示す。
【図６Ｃ】図３の歯科器具の正面図を示す。
【図７】本発明の一実施形態における歯科器具の後部斜視図を示す。
【図８】本発明の一実施形態における歯科器具の正面図を示す。
【図９】本発明の一実施形態における歯科器具の正面図を示す。
【図１０】本発明の一実施形態における歯科器具のユーザの咬合段階の断面図を示す。
【図１１】図１１Ａは、本発明の別の実施形態における歯科器具の正面図を示し、図１１Ｂは、線Ｆ−Ｆに沿って一般に取られる図１１Ａの歯科器具の断面図を示す。
【図１２】図１２Ａは、線Ｄ−Ｄに沿って一般に取られる公知の歯科器具の断面図を示し、図１２Ｂは、線Ｅ−Ｅに沿って一般に取られる、本発明の一実施形態における歯科器具の断面図を示す。
【図１３】本発明の一実施形態における歯科器具の上部斜視図を示す。
【図１４】本発明の一実施形態における歯科器具の上部斜視図を示す。
【図１５】本発明の一実施形態における歯科器具の上部斜視図を示す。
【図１６】本発明の一実施形態における歯科器具の平面図および底面図を示す。
【図１７】線Ｅ−Ｅに沿って一般に取られる、本発明の一実施形態における歯科器具の断面図を示す。
【図１８】線Ｅ−Ｅに沿って一般に取られる、本発明の一実施形態における歯科器具の断面図を示す。
【図１９】本発明の一実施形態における歯科器具の底面図を示す。
【図２０】本発明の一実施形態における歯科器具の上部斜視図を示す。
【図２１】本発明の一実施形態における歯科器具の上部斜視図を示す。
【図２２】図２２Ａは、本発明の一実施形態における歯科器具の平面図を示し、図２２Ｂは、図２２Ａの歯科器具の断面図を示し、図２２Ｃは、本発明の一実施形態における歯科器具の断面図を示す。
【図２３】本発明の一実施形態における歯科器具の平面図を示す。
【図２４】本発明の一実施形態における歯科器具の平面図を示す。
【図２５】本発明の一実施形態における歯科器具の平面図を示す。
【図２６】本発明の一実施形態における歯科器具の部分平面図および部分正面図を示す。
【図２７】ネグロイドの歯の一例およびアジア人や白人の歯の一例を示す。
【図２８】線Ｅ−Ｅに沿って一般に取られる、本発明の一実施形態における歯科器具の断面図を示す。
【図２９Ａ】本発明の一実施形態における歯科器具の正面図を示す。
【図２９Ｂ】本発明の一実施形態における歯科器具の正面図を示す。
【図２９Ｃ】本発明の一実施形態における歯科器具の正面図を示す。
【図３０】本発明の一実施形態における歯科器具の部分平面図を示す。
【図３１】本発明の一実施形態における歯科器具の平面図を示す。
【図３２】本発明の一実施形態における歯科器具の平面図を示す。
【図３３】本発明の一実施形態における歯科器具の平面図を示す。
【図３４】線Ｅ−Ｅに沿って一般に取られる、本発明の一実施形態における歯科器具の断面図を示す。
【図３５】線Ｅ−Ｅに沿って一般に取られる、本発明の一実施形態における歯科器具の断面図を示す。
【図３６】本発明の一実施形態における歯科器具の平面図を示す。
【図３７】線Ｅ−Ｅに沿って一般に取られる、本発明の一実施形態における歯科器具の断面図を示す。
【図３８】本発明の一実施形態における歯科器具の上部斜視図を示す。
【図３９】線Ｃ−Ｃに沿って一般に取られる、本発明の一実施形態における歯科器具の断面図を示す。
【図４０】本発明の一実施形態における歯科器具の側面図を示す。
【図４１】図４１Ａは、本発明の一実施形態における歯科器具の使用により得られる歯の整列の側面図を示し、図４１Ｂは、完全なオーバーバイトと完全なオーバージェットを有する個人の咬合の側面図を示し、図４１Ｃは、個人の咬合の側面図を示し、図４１Ｄは、個人の切歯の咬合の側面図を示す。
【図４２】図４２Ａは、本発明の一実施形態における歯科器具の正面図を示し、図４２Ｂは、本発明の一実施形態における図４２Ａの歯科器具の正面図を示す。
【図４３Ａ】本発明の一実施形態における歯科器具のヒンジ機構の正面図を示す。
【図４３Ｂ】図４３Ａのヒンジ機構の斜視図を示す。
【図４３Ｃ】図４３Ａのヒンジ機構の斜視図を示す。
【図４３Ｄ】本発明の一実施形態における歯科器具に実装される図４３Ａのヒンジ機構の側面図を示す。
【図４３Ｅ】本発明の一実施形態における歯科器具に実装される図４３Ａの底面図を示す。
【図４３Ｆ】本発明の一実施形態における歯科器具の下顎シェルに上顎シェルを固定するクランプ機構の側面図を示す。
【図４４】本発明の一実施形態における歯科器具の斜視図を示す。
【図４５】本発明の一実施形態における歯科器具の断面図を示す。
【図１】
2006513738.tif 000003
【図２】
2006513738.tif 000004
【図３】
2006513738.tif 000005
【図４Ａ】
2006513738.tif 000006
【図４Ｂ】
2006513738.tif 000007
【図５】
2006513738.tif 000008
【図６Ａ】
2006513738.tif 000009
【図６Ｂ】
2006513738.tif 000010
【図６Ｃ】
2006513738.tif 000011
【図７】
2006513738.tif 000012
【図８】
2006513738.tif 000013
【図９】
2006513738.tif 000014
【図１０】
2006513738.tif 000015
【図１１】
2006513738.tif 000016
【図１２】
2006513738.tif 000017
【図１３】
2006513738.tif 000018
【図１４】
2006513738.tif 000019
【図１５】
2006513738.tif 000020
【図１６】
2006513738.tif 000021
【図１７】
2006513738.tif 000022
【図１８】
2006513738.tif 000023
【図１９】
2006513738.tif 000024
【図２０】
2006513738.tif 000025
【図２１】
2006513738.tif 000026
【図２２】
2006513738.tif 000027
【図２３】
2006513738.tif 000028
【図２４】
2006513738.tif 000029
【図２５】
2006513738.tif 000030
【図２６】
2006513738.tif 000031
【図２７】
2006513738.tif 000032
【図２８】
2006513738.tif 000033
【図２９Ａ】
2006513738.tif 000034
【図２９Ｂ】
2006513738.tif 000035
【図２９Ｃ】
2006513738.tif 000036
【図３０】
2006513738.tif 000037
【図３１】
2006513738.tif 000038
【図３２】
2006513738.tif 000039
【図３３】
2006513738.tif 000040
【図３４】
2006513738.tif 000041
【図３５】
2006513738.tif 000042
【図３６】
2006513738.tif 000043
【図３７】
2006513738.tif 000044
【図３８】
2006513738.tif 000045
【図３９】
2006513738.tif 000046
【図４０】
2006513738.tif 000047
【図４１】
2006513738.tif 000048
【図４２】
2006513738.tif 000049
【図４３Ａ】
2006513738.tif 000050
【図４３Ｂ】
2006513738.tif 000051
【図４３Ｃ】
2006513738.tif 000052
【図４３Ｄ】
2006513738.tif 000053
【図４３Ｅ】
2006513738.tif 000054
【図４３Ｆ】
2006513738.tif 000055
【図４４】
2006513738.tif 000056
【図４５】
2006513738.tif 000057
【国際調査報告】
2006513738.tif 000058
2006513738.tif 000059
2006513738.tif 000060